(57)【要約】ＰＤＵセッションの属性として常時接続を提供し、常時接続ＰＤＵセッションに関してインターワーキングの側面を提供し、且つ、ＰＤＵセッションを常時接続ＰＤＵセッションとするかどうかのネットワーク判定を可能にするための方法、装置、及びコンピュータプログラム製品を提供し得る。例示的な方法は、ＵＥから、ＰＤＵセッション確立要求メッセージを受信することを含んでよく、ＰＤＵセッション確立要求メッセージは、新しい常時接続ＰＤＵセッションを確立する要求を示す値（例えば、「常時接続ＰＤＵセッションが要求されている」）に設定された常時接続ＰＤＵセッション要求されたＩＥを備え、要求されたＰＤＵセッションが常時接続ＰＤＵセッションとして確立されるとすると判定すると、ＰＤＵセッション確立承認メッセージの送信を引き起こし、ＰＤＵセッション確立承認メッセージは、常時接続ＰＤＵセッションが要求されていることを示す値（「常時接続ＰＤＵセッションが要求されている」）に設定された常時接続ＰＤＵセッション指示ＩＥを備える。【選択図】図１Ｂ
2021534621.tif 000002
【特許請求の範囲】
【請求項１】
サービス要求手順を実行する方法であって、
ユーザ機器（ＵＥ）から、プロトコルデータユニット（ＰＤＵ）セッション確立要求メッセージを受信することであって、前記ＰＤＵセッション確立要求メッセージは、新しいＰＤＵセッションを確立する要求を示すように構成され、前記ＰＤＵセッション確立要求メッセージは、常時接続ＰＤＵセッション要求された情報要素（ＩＥ）を備え、前記常時接続ＰＤＵセッション要求されたＩＥは、新しい常時接続ＰＤＵセッションを確立する要求を示す値に設定される、または、前記ＰＤＵセッション確立要求メッセージは前記常時接続ＰＤＵセッション要求されたＩＥを備えない、前記受信することと、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションが常時接続ＰＤＵセッションとして確立されるとするかどうかを判定することと、
を備える、前記方法。
【請求項２】
前記要求されたＰＤＵセッションが常時接続ＰＤＵセッションとして確立されるとすると判定すると、ＰＤＵセッション確立承認メッセージの送信を引き起こすことをさらに備え、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される
請求項１に記載の方法。
【請求項３】
前記要求されたＰＤＵセッションが常時接続ＰＤＵセッションとして確立されないとすると判定すると、ＰＤＵセッション確立承認メッセージの送信を引き起こすことをさらに備え、前記ＰＤＵセッション確立承認メッセージは、
前記ＵＥが前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または、
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
請求項１に記載の方法。
【請求項４】
前記常時接続ＰＤＵセッション指示ＩＥが、前記ＰＤＵセッション確立承認メッセージに含まれ、且つ、前記常時接続ＰＤＵセッション指示ＩＥが、「常時接続ＰＤＵセッションが要求されている」を示す値に設定されるインスタンスにおいて、前記方法は、前記ＵＥに、前記確立されたＰＤＵセッションを常時接続ＰＤＵセッションと見なすようにさせることをさらに備える、請求項２に記載の方法。
【請求項５】
前記常時接続ＰＤＵセッション指示ＩＥが前記ＰＤＵセッション確立承認メッセージに含まれない、または
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、
前記方法は、前記ＵＥに、前記確立されたＰＤＵセッションを常時接続ＰＤＵセッションと見なさないようにさせることをさらに備える、
請求項３に記載の方法。
【請求項６】
Ｎ１モードからＳ１モードへのシステム間変更時、前記ＵＥ及び前記ＳＭＦで、前記常時接続ＰＤＵセッション指示を維持することをさらに備える、請求項１に記載の方法。
【請求項７】
Ｓ１モードからＮ１モードへのシステム間変更時、前記常時接続ＰＤＵセッション指示に基づいて、進化型パケットシステム（ＥＰＳ）から転送された前記ＰＤＵセッションが常時接続ＰＤＵセッションであるかどうかを判定することをさらに備える、請求項６に記載の方法。
【請求項８】
サービス要求手順を行う装置であって、前記装置は、少なくとも１つのプロセッサと、コンピュータプログラムコードを含む少なくとも１つのメモリとを備え、前記少なくとも１つのメモリ及び前記コンピュータプログラムコードは、前記プロセッサと共に、
ユーザ機器（ＵＥ）から、プロトコルデータユニット（ＰＤＵ）セッション確立要求メッセージを受信することであって、前記ＰＤＵセッション確立要求メッセージは、新しいＰＤＵセッションを確立する要求を示すように構成され、前記ＰＤＵセッション確立要求メッセージは、常時接続ＰＤＵセッション要求された情報要素（ＩＥ）を備え、前記常時接続ＰＤＵセッション要求されたＩＥは、新しい常時接続ＰＤＵセッションを確立する要求を示す値に設定される、または、前記ＰＤＵセッション確立要求メッセージは、前記常時接続ＰＤＵセッション要求されたＩＥを備えない、前記受信することと、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションが常時接続ＰＤＵセッションとして確立されるとするかどうかを判定することと、
を少なくとも、前記装置に行わせる、ように構成される
前記装置。
【請求項９】
前記少なくとも１つのメモリ及び前記コンピュータプログラムコードは、前記プロセッサと共に、前記装置に、
前記要求されたＰＤＵセッションが常時接続ＰＤＵセッションとして確立されるとすると判定すると、ＰＤＵセッション確立承認メッセージの送信を引き起こさせるようにさらに構成され、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される
請求項８に記載の装置。
【請求項１０】
前記少なくとも１つのメモリ及び前記コンピュータプログラムコードは、前記プロセッサと共に、前記装置に、
前記要求されたＰＤＵセッションが常時接続ＰＤＵセッションとして確立されないとすると判定すると、ＰＤＵセッション確立承認メッセージの送信を引き起こさせるようにさらに構成され、前記ＰＤＵセッション確立承認メッセージは、常時接続ＰＤＵセッション指示ＩＥを備え、前記常時接続ＰＤＵセッション指示ＩＥは、前記ＵＥが前記常時接続ＰＤＵセッション要求されたＩＥを前記ＰＤＵセッション確立要求メッセージに含めた場合、「常時接続ＰＤＵセッションは許可されない」を示す値に設定され、または
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
請求項８に記載の装置。
【請求項１１】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、
前記少なくとも１つのメモリ及び前記コンピュータプログラムコードは、前記プロセッサと共に、前記装置に、
前記ＵＥに前記確立されたＰＤＵセッションを常時接続ＰＤＵセッションと見なすようにさせるようにさらに構成される
請求項９に記載の装置。
【請求項１２】
前記常時接続ＰＤＵセッション指示ＩＥが前記ＰＤＵセッション確立承認メッセージに含まれていない、または
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、
前記少なくとも１つのメモリ及び前記コンピュータプログラムコードは、前記プロセッサと共に、前記装置に
前記ＵＥに前記確立されたＰＤＵセッションを常時接続ＰＤＵセッションと見なさないようにさせるようにさらに構成される
請求項１０に記載の装置。
【請求項１３】
前記少なくとも１つのメモリ及び前記コンピュータプログラムコードは、前記プロセッサと共に、前記装置に、
Ｎ１モードからＳ１モードへのシステム間変更時、前記ＵＥ及び前記ＳＭＦで、前記常時接続ＰＤＵセッション指示を維持させる
ようにさらに構成される、請求項８に記載の装置。
【請求項１４】
前記少なくとも１つのメモリ及び前記コンピュータプログラムコードは、前記プロセッサと共に、前記装置に、
Ｓ１モードからＮ１モードへのシステム間変更時、前記常時接続ＰＤＵセッション指示に基づいて、進化型パケットシステム（ＥＰＳ）から転送された前記ＰＤＵセッションが常時接続ＰＤＵセッションであるかどうかを判定させるようにさらに構成される、
請求項１３に記載の装置。
【請求項１５】
サービス要求手順を実行するためのコンピュータプログラム製品であって、前記コンピュータプログラム製品は、コンピュータ実行可能プログラムコード命令が記憶された少なくとも１つの非一時的コンピュータ可読記憶媒体を備え、前記コンピュータ実行可能プログラムコード命令は、
ユーザ機器（ＵＥ）から、プロトコルデータユニット（ＰＤＵ）セッション確立要求メッセージを受信することであって、前記ＰＤＵセッション確立要求メッセージは、新しいＰＤＵセッションを確立する要求を示すように構成され、前記ＰＤＵセッション確立要求メッセージは、常時接続ＰＤＵセッション要求された情報要素（ＩＥ）を備え、前記常時接続ＰＤＵセッション要求されたＩＥは、新しい常時接続ＰＤＵセッションを確立する要求を示す値に設定される、または、前記ＰＤＵセッション確立要求メッセージは前記常時接続ＰＤＵセッション要求されたＩＥを備えない、前記受信することと、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションが常時接続ＰＤＵセッションとして確立されるとするかどうかを判定することと、を行うためのプログラムコード命令
を備える、前記コンピュータプログラム製品。
【請求項１６】
前記コンピュータ実行可能プログラムコード命令は、
前記要求されたＰＤＵセッションが常時接続ＰＤＵセッションとして確立されるとすると判定すると、ＰＤＵセッション確立承認メッセージの送信を引き起こすためのプログラムコード命令をさらに備え、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される
請求項１５に記載のコンピュータプログラム製品。
【請求項１７】
前記コンピュータ実行可能プログラムコード命令は、
前記要求されたＰＤＵセッションが常時接続ＰＤＵセッションとして確立されないとすると判定すると、ＰＤＵセッション確立承認メッセージの送信を引き起こすためのプログラムコード命令をさらに備え、前記ＰＤＵセッション確立承認メッセージは、常時接続ＰＤＵセッション指示ＩＥを備え、前記ＵＥが前記常時接続ＰＤＵセッション要求されたＩＥを前記ＰＤＵセッション確立要求メッセージに含めた場合、前記常時接続ＰＤＵセッション指示ＩＥは、「常時接続ＰＤＵセッションは許可されない」を示す値に設定される、または、
前記ＵＥが前記常時接続ＰＤＵセッション要求されたＩＥを前記ＰＤＵセッション確立要求メッセージに含めなかった場合、常時接続ＰＤＵセッション指示ＩＥを備えない
請求項１５に記載のコンピュータプログラム製品。
【請求項１８】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、
前記コンピュータ実行可能プログラムコード命令は、
前記ＵＥに、前記確立されたＰＤＵセッションを常時接続ＰＤＵセッションと見なすようにさせるためのプログラムコード命令をさらに備える、
請求項１６に記載のコンピュータプログラム製品。
【請求項１９】
前記常時接続ＰＤＵセッション指示ＩＥが前記ＰＤＵセッション確立承認メッセージに含まれていない、または
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、
前記コンピュータ実行可能プログラムコード命令は、
前記ＵＥに前記確立されたＰＤＵセッションを常時接続ＰＤＵセッションと見なさないようにさせるためのプログラムコード命令をさらに備える、
請求項１７に記載のコンピュータプログラム製品。
【請求項２０】
前記コンピュータ実行可能プログラムコード命令は、
Ｎ１モードからＳ１モードへのシステム間変更時、前記ＵＥと前記ＳＭＦで、前記常時接続ＰＤＵセッション指示を維持するためのプログラムコード命令をさらに備え、
請求項１に記載のコンピュータプログラム製品。
【請求項２１】
前記コンピュータ実行可能プログラムコード命令は、
Ｓ１モードからＮ１モードへのシステム間変更時、前記常時接続ＰＤＵセッション指示に基づいて、進化型パケットシステム（ＥＰＳ）から転送された前記ＰＤＵセッションが常時接続ＰＤＵセッションであるかどうかを判定するためのプログラムコード命令をさらに備える、
請求項２０に記載のコンピュータプログラム製品。
【請求項２２】
サービス要求手順を実行する装置であって、
ユーザ機器（ＵＥ）から、プロトコルデータユニット（ＰＤＵ）セッション確立要求メッセージを受信する手段であって、前記ＰＤＵセッション確立要求メッセージは、新しいＰＤＵセッションを確立する要求を示すように構成され、前記ＰＤＵセッション確立要求メッセージは、常時接続ＰＤＵセッション要求された情報要素（ＩＥ）を備え、前記常時接続ＰＤＵセッション要求されたＩＥは、新しい常時接続ＰＤＵセッションを確立する要求を示す値に設定される、または、前記ＰＤＵセッション確立要求メッセージは、常時接続ＰＤＵセッション要求されたＩＥを備えない、前記受信する手段と、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションが常時接続ＰＤＵセッションとして確立されるとするかどうかを判定する手段と、
を備える、前記装置。
【請求項２３】
前記要求されたＰＤＵセッションが常時接続ＰＤＵセッションとして確立されるとすると判定すると、ＰＤＵセッション確立承認メッセージの送信を引き起こす手段をさらに備え、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される
請求項２２に記載の装置。
【請求項２４】
前記要求されたＰＤＵセッションが常時接続ＰＤＵセッションとして確立されないとすると判定すると、ＰＤＵセッション確立承認メッセージの送信を引き起こす手段をさらに備え、前記ＰＤＵセッション確立承認メッセージは、
前記ＵＥが、前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
請求項２２に記載の装置。
【請求項２５】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、
前記装置は、
前記ＵＥに、前記確立されたＰＤＵセッションを常時接続ＰＤＵセッションと見なすようにさせる手段をさらに備える、
請求項２３に記載の装置。
【請求項２６】
前記常時接続ＰＤＵセッション指示ＩＥが前記ＰＤＵセッション確立承認メッセージに含まれていない、または
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、
前記装置は、
前記ＵＥに、前記確立されたＰＤＵセッションを常時接続ＰＤＵセッションと見なさないようにさせる手段をさらに備える、
請求項２４に記載の装置。
【請求項２７】
Ｎ１モードからＳ１モードへのシステム間変更時、前記ＵＥ及び前記ＳＭＦで、前記常時接続ＰＤＵセッション指示を維持するための手段
をさらに備える、請求項２２に記載の装置。
【請求項２８】
Ｓ１モードからＮ１モードへのシステム間変更時、前記常時接続ＰＤＵセッション指示に基づいて、進化型パケットシステム（ＥＰＳ）から転送された前記ＰＤＵセッションが常時接続ＰＤＵセッションであるかどうかを判定する手段
をさらに備える、請求項２７に記載の装置。
【請求項２９】
プロトコルデータユニット（ＰＤＵ）セッション確立要求メッセージの送信を引き起こすことであって、前記ＰＤＵセッション確立要求メッセージは、新しいＰＤＵセッションを確立する要求を示すように構成され、
前記ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備える、または
前記ＰＤＵセッション確立要求メッセージは、前記常時接続ＰＤＵセッション要求されたＩＥを備えない、
前記送信を引き起こすことと、
前記要求されたＰＤＵセッションが常時接続ＰＤＵセッションとして確立されるとすると判定すると、ＰＤＵセッション確立承認メッセージを受信することであって、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される、前記受信することと、
前記要求されたＰＤＵセッションが常時接続ＰＤＵセッションとして確立されないとすると判定すると、前記ＰＤＵセッション確立承認メッセージを受信することと、
を備える方法であって、
前記ＰＤＵセッション確立承認メッセージは、
前記ＵＥが、前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される、前記常時接続ＰＤＵセッション指示ＩＥを備える、または
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
前記方法。
【請求項３０】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、前記確立されたＰＤＵセッションを常時接続ＰＤＵセッションと見なすことをさらに備える、請求項２９に記載の方法。
【請求項３１】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、前記確立されたＰＤＵセッションを常時接続ＰＤＵセッションと見なさないことをさらに備える、請求項２９に記載の方法。
【請求項３２】
少なくとも１つのプロセッサとコンピュータプログラムコードを含む少なくとも１つのメモリとを備える装置であって、前記少なくとも１つのメモリ及び前記コンピュータプログラムコードは、前記プロセッサと共に、
プロトコルデータユニット（ＰＤＵ）セッション確立要求メッセージの送信を引き起こすことであって、前記ＰＤＵセッション確立要求メッセージは、新しいＰＤＵセッションを確立する要求を示すように構成され、前記ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備える、または前記ＰＤＵセッション確立要求メッセージは、前記常時接続ＰＤＵセッション要求されたＩＥを備えない、前記送信を引き起こすことと、
前記要求されたＰＤＵセッションが常時接続ＰＤＵセッションとして確立されるとすると判定すると、ＰＤＵセッション確立承認メッセージを受信することであって、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される、前記受信することと、
前記要求されたＰＤＵセッションが常時接続ＰＤＵセッションとして確立されないとすると判定すると、前記ＰＤＵセッション確立承認メッセージを受信することと、
を少なくとも、前記装置に行わせるように構成され、
前記ＰＤＵセッション確立承認メッセージは、
前記ＵＥが前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
前記装置。
【請求項３３】
前記少なくとも１つのメモリ及び前記コンピュータプログラムコードは、前記プロセッサと共に、前記装置に、
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、前記確立されたＰＤＵセッションを常時接続ＰＤＵセッションと見なすようにさせる
ようにさらに構成される、請求項３２に記載の装置。
【請求項３４】
前記少なくとも１つのメモリ及び前記コンピュータプログラムコードは、前記プロセッサと共に、前記装置に、
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、前記確立されたＰＤＵセッションを常時接続ＰＤＵセッションと見なさないようにさせる
ようにさらに構成される、請求項３２に記載の装置。
【請求項３５】
コンピュータ実行可能プログラムコード命令が記憶された少なくとも１つの非一時的コンピュータ可読記憶媒体を備えるコンピュータプログラム製品であって、前記コンピュータ実行可能プログラムコード命令は、
プロトコルデータユニット（ＰＤＵ）セッション確立要求メッセージの送信を引き起こすことであって、前記ＰＤＵセッション確立要求メッセージは、新しいＰＤＵセッションを確立する要求を示すように構成され、前記ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備える、または、前記ＰＤＵセッション確立要求メッセージは、前記常時接続ＰＤＵセッション要求されたＩＥを備えない、前記送信を引き起こすことと、
前記要求されたＰＤＵセッションが常時接続ＰＤＵセッションとして確立されるとすると判定すると、ＰＤＵセッション確立承認メッセージを受信することであって、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される、前記受信することと、
前記要求されたＰＤＵセッションが常時接続ＰＤＵセッションとして確立されないとすると判定すると、前記ＰＤＵセッション確立承認メッセージを受信することと、
を行うためのプログラムコード命令を備え、
前記ＰＤＵセッション確立承認メッセージは、
前記ＵＥが、前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
前記コンピュータプログラム製品。
【請求項３６】
前記コンピュータ実行可能プログラムコード命令は、
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、前記確立されたＰＤＵセッションを常時接続ＰＤＵセッションと見なすためのプログラムコード命令をさらに備える、
請求項３５に記載のコンピュータプログラム製品。
【請求項３７】
前記コンピュータ実行可能プログラムコード命令は、
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、前記確立されたＰＤＵセッションを常時接続ＰＤＵセッションと見なさないためのプログラムコード命令をさらに備える、
請求項３５に記載のコンピュータプログラム製品。
【請求項３８】
プロトコルデータユニット（ＰＤＵ）セッション確立要求メッセージの送信を引き起こす手段であって、前記ＰＤＵセッション確立要求メッセージは、新しいＰＤＵセッションを確立する要求を示すように構成され、前記ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備える、または、前記ＰＤＵセッション確立要求メッセージは、前記常時接続ＰＤＵセッション要求されたＩＥを備えない、前記送信を引き起こす手段と、
前記要求されたＰＤＵセッションが常時接続ＰＤＵセッションとして確立されるとすると判定すると、ＰＤＵセッション確立承認メッセージを受信する手段であって、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定される、前記受信する手段と、
前記要求されたＰＤＵセッションが常時接続ＰＤＵセッションとして確立されないとすると判定すると、前記ＰＤＵセッション確立承認メッセージを受信する手段と、
を備える、装置であって、
前記ＰＤＵセッション確立承認メッセージは、
前記ＵＥが前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
前記装置。
【請求項３９】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、前記確立されたＰＤＵセッションを常時接続ＰＤＵセッションと見なす手段
をさらに備える、請求項３８に記載の装置。
【請求項４０】
前記常時接続ＰＤＵセッション指示ＩＥが前記ＰＤＵセッション確立承認メッセージに含まれ、前記常時接続ＰＤＵセッション指示ＩＥが「常時接続ＰＤＵセッションは許可されない」を示す値に設定されるインスタンスにおいて、前記確立されたＰＤＵセッションを常時接続ＰＤＵセッションと見なさない手段
をさらに備える、請求項３８に記載の装置。
【請求項４１】
ユーザ機器（ＵＥ）から、プロトコルデータユニット（ＰＤＵ）セッション修正要求メッセージを受信することであって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備える、または、前記ＰＤＵセッション修正要求メッセージは、前記常時接続ＰＤＵセッション要求されたＩＥを備えない、前記受信することと、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションを常時接続ＰＤＵセッションとするかどうかを判定することと、
を備える、方法。
【請求項４２】
前記要求されたＰＤＵセッションを常時接続ＰＤＵセッションとすると判定すると、前記方法は、
ＰＤＵセッション修正コマンドメッセージの送信を引き起こすことをさらに備え、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定される
請求項４１に記載の方法。
【請求項４３】
前記要求されたＰＤＵセッションを常時接続ＰＤＵセッションとしないと判定すると、
ＰＤＵセッション修正コマンドメッセージの送信を引き起こすことをさらに備え、前記ＰＤＵセッション修正コマンドメッセージは、
前記ＵＥが前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または、
前記ＵＥが前記常時接続ＰＤＵセッション要求されたＩＥを前記ＰＤＵセッション確立要求メッセージに含めなかった場合、常時接続ＰＤＵセッション指示ＩＥを備えない、
請求項４１に記載の方法。
【請求項４４】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、
前記方法は、前記ＵＥに、前記ＰＤＵセッションを常時接続ＰＤＵセッションと見なすようにさせることをさらに備える、
請求項４２に記載の方法。
【請求項４５】
前記常時接続ＰＤＵセッション指示ＩＥが前記ＰＤＵセッション修正コマンドメッセージに含まれていない、または
前記常時接続ＰＤＵセッション指示ＩＥがＰＤＵ前記セッション修正コマンドメッセージに含まれ、且つ、前記常時接続ＰＤＵセッション指示ＩＥが「常時接続ＰＤＵセッションは許可されない」を示す値に設定されるインスタンスにおいて、
前記方法は、前記ＵＥに、前記ＰＤＵセッションを常時接続ＰＤＵセッションと見なさないようにさせることをさらに備える、
請求項４３に記載の方法。
【請求項４６】
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうかを判定することと、
前記要求されたＰＤＵセッションが常時接続ＰＤＵセッションである必要があると判定すると、前記ＰＤＵセッション修正コマンドメッセージに含まれる前記常時接続ＰＤＵセッション指示ＩＥを、「常時接続ＰＤＵセッションが要求されている」を示す値に設定することと、
をさらに備える、請求項４１に記載の方法。
【請求項４７】
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうか判定することと、
前記要求されたＰＤＵセッションが常時接続ＰＤＵセッションである必要がないと判定すると、前記ＰＤＵセッション修正コマンドメッセージに含まれる前記常時接続ＰＤＵセッション指示ＩＥを、「常時接続ＰＤＵセッションは許可されない」を示す値に設定することと、
をさらに備える、請求項４１に記載の方法。
【請求項４８】
少なくとも１つのプロセッサと、コンピュータプログラムコードを含む少なくとも１つのメモリとを備える装置であって、前記少なくとも１つのメモリ及び前記コンピュータプログラムコードは、前記プロセッサと共に、
ユーザ機器（ＵＥ）から、プロトコルデータユニット（ＰＤＵ）セッション修正要求メッセージを受信することであって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備える、または、前記ＰＤＵセッション修正要求メッセージは、前記常時接続ＰＤＵセッション要求されたＩＥを備えない、前記受信することと、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションを常時接続ＰＤＵセッションとするかどうかを判定することと、
を少なくとも、前記装置に行わせるように構成される、
前記装置。
【請求項４９】
前記少なくとも１つのメモリ及び前記コンピュータプログラムコードは、前記プロセッサと共に、前記装置に、
前記要求されたＰＤＵセッションを常時接続ＰＤＵセッションとすると判定すると、ＰＤＵセッション修正コマンドメッセージの送信を引き起こさせ、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定させる、ようにさらに構成される
請求項４８に記載の装置。
【請求項５０】
前記少なくとも１つのメモリ及び前記コンピュータプログラムコードは、前記プロセッサと共に、前記装置に、
前記要求されたＰＤＵセッションを常時接続ＰＤＵセッションとしないと判定すると、ＰＤＵセッション修正コマンドメッセージの送信を引き起こさせ、前記ＰＤＵセッション修正コマンドメッセージは、常時接続ＰＤＵセッション指示ＩＥを備え、前記常時接続ＰＤＵセッション指示ＩＥは、前記ＵＥが前記常時接続ＰＤＵセッション要求されたＩＥを前記ＰＤＵセッション修正要求メッセージに含めた場合、「常時接続ＰＤＵセッションは許可されない」を示す値に設定される、または、
前記ＵＥが前記常時接続ＰＤＵセッション要求されたＩＥを前記ＰＤＵセッション修正要求メッセージに含めなかった場合、常時接続ＰＤＵセッション指示ＩＥを備えない、ようにさらに構成される
請求項４８に記載の装置。
【請求項５１】
前記少なくとも１つのメモリ及び前記コンピュータプログラムコードは、前記プロセッサと共に、前記装置に、
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、前記ＵＥに、前記ＰＤＵセッションを常時接続ＰＤＵセッションと見なすようにさせるように、
さらに構成される、請求項４９に記載の装置。
【請求項５２】
前記少なくとも１つのメモリ及び前記コンピュータプログラムコードは、前記プロセッサと共に、前記装置に
前記常時接続ＰＤＵセッション指示ＩＥが、前記ＰＤＵセッション修正コマンドメッセージに含まれていない、または
前記常時接続ＰＤＵセッション指示ＩＥがＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、前記ＵＥに、前記ＰＤＵセッションを常時接続ＰＤＵセッションと見なさないようにさせるように、
さらに構成される、請求項５０に記載の装置。
【請求項５３】
前記少なくとも１つのメモリ及び前記コンピュータプログラムコードは、前記プロセッサと共に、前記装置に、
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうかを判定させ、且つ、
前記要求されたＰＤＵセッションが常時接続ＰＤＵセッションである必要があると判定すると、前記ＰＤＵセッション修正コマンドメッセージに含まれる前記常時接続ＰＤＵセッション指示ＩＥを、「常時接続ＰＤＵセッションが要求されている」を示す値に設定させる、ようにさらに構成される
請求項４８に記載の装置。
【請求項５４】
前記少なくとも１つのメモリ及び前記コンピュータプログラムコードは、前記プロセッサと共に、前記装置に、
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうかを判定させ、且つ、
前記要求されたＰＤＵセッションが常時接続ＰＤＵセッションである必要がないと判定すると、前記ＰＤＵセッション修正コマンドメッセージに含まれる前記常時接続ＰＤＵセッション指示ＩＥを、「常時接続ＰＤＵセッションは許可されない」を示す値に設定させる、ようにさらに構成される
請求項４８に記載の装置。
【請求項５５】
コンピュータ実行可能プログラムコード命令が記憶された少なくとも１つの非一時的コンピュータ可読記憶媒体を備えるコンピュータプログラム製品であって、前記コンピュータ実行可能プログラムコード命令は、
ユーザ機器（ＵＥ）から、プロトコルデータユニット（ＰＤＵ）セッション修正要求メッセージを受信することであって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備える、または、前記ＰＤＵセッション修正要求メッセージは、前記常時接続ＰＤＵセッション要求されたＩＥを備えない、前記受信することと、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションを常時接続ＰＤＵセッションとするかどうかを判定することと、
を行うためのプログラムコード命令
を備える、前記コンピュータプログラム製品。
【請求項５６】
前記要求されたＰＤＵセッションを常時接続ＰＤＵセッションとすると判定すると、前記コンピュータ実行可能プログラムコード命令は、
ＰＤＵセッション修正コマンドメッセージの送信を引き起こすためのプログラムコード命令をさらに備え、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定される、
請求項５５に記載のコンピュータプログラム製品。
【請求項５７】
前記要求されたＰＤＵセッションを常時接続ＰＤＵセッションとしないと判定すると、前記コンピュータ実行可能プログラムコード命令は、
ＰＤＵセッション修正コマンドメッセージの送信を引き起こすためのプログラムコード命令をさらに備え、前記ＰＤＵセッション修正コマンドメッセージは、
前記ＵＥが前記常時接続ＰＤＵセッション要求されたＩＥを前記ＰＤＵセッション修正要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または、
前記ＵＥが前記常時接続ＰＤＵセッション要求されたＩＥを前記ＰＤＵセッション修正要求メッセージに含めなかった場合、常時接続ＰＤＵセッション指示ＩＥを備えない、
請求項５５に記載のコンピュータプログラム製品。
【請求項５８】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、
前記コンピュータ実行可能プログラムコード命令は、前記ＵＥに、前記ＰＤＵセッションを常時接続ＰＤＵセッションと見なすようにさせるためのプログラムコード命令をさらに備える、
請求項５６に記載のコンピュータプログラム製品、
【請求項５９】
前記常時接続ＰＤＵセッション指示ＩＥが前記ＰＤＵセッション修正コマンドメッセージに含まれていない、または
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、
前記コンピュータ実行可能プログラムコード命令は、前記ＵＥに、前記ＰＤＵセッションを常時接続ＰＤＵセッションと見なさないようにさせるためのプログラムコード命令をさらに備える
請求項５７に記載のコンピュータプログラム製品。
【請求項６０】
前記コンピュータ実行可能プログラムコード命令は、
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうかを判定することと、
前記要求されたＰＤＵセッションが常時接続ＰＤＵセッションである必要があると判定すると、前記ＰＤＵセッション修正コマンドメッセージに含まれる前記常時接続ＰＤＵセッション指示ＩＥを、「常時接続ＰＤＵセッションが要求されている」を示す値に設定することと、を行うためのプログラムコード命令をさらに備える、請求項５５に記載のコンピュータプログラム製品。
【請求項６１】
前記コンピュータ実行可能プログラムコード命令は、
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうか判定することと、
前記要求されたＰＤＵセッションが常時接続ＰＤＵセッションである必要がないと判定すると、前記ＰＤＵセッション修正コマンドメッセージに含まれる前記常時接続ＰＤＵセッション指示ＩＥを、「常時接続ＰＤＵセッションは許可されない」を示す値に設定することと、を行うためのプログラムコード命令
をさらに備える、請求項５５に記載のコンピュータプログラム製品。
【請求項６２】
ユーザ機器（ＵＥ）から、プロトコルデータユニット（ＰＤＵ）セッション修正要求メッセージを受信する手段であって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備える、または、前記ＰＤＵセッション修正要求メッセージは、前記常時接続ＰＤＵセッション要求されたＩＥを備えない、前記受信する手段と、
ローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションを常時接続ＰＤＵセッションとするかどうかを判定する手段と、
を備える、装置。
【請求項６３】
前記要求されたＰＤＵセッションを常時接続ＰＤＵセッションとすると判定すると、ＰＤＵセッション修正コマンドメッセージの送信を引き起こす手段を備え、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定される、
請求項６２に記載の装置。
【請求項６４】
前記要求されたＰＤＵセッションを常時接続ＰＤＵセッションとしないと判定すると、ＰＤＵセッション修正コマンドメッセージの送信を引き起こす手段を備え、前記ＰＤＵセッション修正コマンドメッセージは、
前記ＵＥが前記常時接続ＰＤＵセッション要求されたＩＥを前記ＰＤＵセッション修正要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または、
前記ＵＥが前記常時接続ＰＤＵセッション要求されたＩＥを前記ＰＤＵセッション修正要求メッセージに含めなかった場合、常時接続ＰＤＵセッション指示ＩＥを備えない、
請求項６２に記載の装置。
【請求項６５】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、
前記装置は、
前記ＵＥに、前記ＰＤＵセッションを常時接続ＰＤＵセッションと見なすようにさせるための手段
をさらに備える、請求項６３に記載の装置。
【請求項６６】
前記常時接続ＰＤＵセッション指示ＩＥが前記ＰＤＵセッション修正コマンドメッセージに含まれない、または
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、
前記装置は、
前記ＵＥに、前記ＰＤＵセッションを常時接続ＰＤＵセッションと見なさないようにさせるための手段
をさらに備える、請求項６４に記載の装置。
【請求項６７】
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうかを判定する手段と、
前記要求されたＰＤＵセッションが常時接続ＰＤＵセッションである必要があると判定すると、前記ＰＤＵセッション修正コマンドメッセージに含まれる前記常時接続ＰＤＵセッション指示ＩＥを、「常時接続ＰＤＵセッションが要求されている」を示す値に設定することと、
をさらに備える、請求項６２に記載の装置。
【請求項６８】
Ｓ１モードからＮ１モードへのシステム間変更時、前記ＳＭＦの前記ローカルポリシまたは構成に基づいて、前記要求されたＰＤＵセッションが常時接続ＰＤＵセッションである必要があるかどうかを判定する手段と、
前記要求されたＰＤＵセッションが常時接続ＰＤＵセッションである必要がないと判定すると、前記ＰＤＵセッション修正コマンドメッセージに含まれる前記常時接続ＰＤＵセッション指示ＩＥを「常時接続ＰＤＵセッションは許可されない」を示す値に設定する手段と、
をさらに備える、請求項６２に記載の装置。
【請求項６９】
プロトコルデータユニット（ＰＤＵ）セッション修正要求メッセージの送信を引き起こすことであって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、
前記ＰＤＵセッション修正要求メッセージは、前記ＰＤＵセッションを常時接続プロトコルデータユニット（ＰＤＵ）セッションとする要求を示す値に設定された情報要素（ＩＥ）を備える、または
前記ＰＤＵセッション修正要求メッセージは、前記常時接続ＰＤＵセッション要求されたＩＥを備えない、前記送信を引き起こすことと、
前記要求されたＰＤＵセッションを常時接続ＰＤＵセッションとすると判定すると、ＰＤＵセッション修正コマンドメッセージを受信することであって、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定される、前記受信することと、
前記要求されたＰＤＵセッションを常時接続ＰＤＵセッションとしないと判定すると、前記ＰＤＵセッション修正コマンドメッセージを受信することであって、
前記ＰＤＵセッション修正コマンドメッセージは、
前記ＵＥが前記常時接続ＰＤＵセッション要求されたＩＥを前記ＰＤＵセッション修正要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または
前記ＵＥが前記常時接続ＰＤＵセッション要求されたＩＥを前記ＰＤＵセッション修正要求メッセージに含めなかった場合、常時接続ＰＤＵセッション指示ＩＥを備えない、
前記受信することと、
を備える、方法。
【請求項７０】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、前記ＰＤＵセッションを常時接続ＰＤＵセッションと見なすこと
をさらに備える、請求項６９に記載の方法。
【請求項７１】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、前記ＰＤＵセッションを常時接続ＰＤＵセッションと見なさないこと
をさらに備える、請求項６９に記載の方法。
【請求項７２】
少なくとも１つのプロセッサと、コンピュータプログラムコードを含む少なくとも１つのメモリとを備える装置であって、前記少なくとも１つのメモリ及び前記コンピュータプログラムコードは、前記プロセッサと共に、
プロトコルデータユニット（ＰＤＵ）セッション修正要求メッセージの送信を引き起こすことであって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備える、または、前記ＰＤＵセッション修正要求は、前記常時接続ＰＤＵセッション要求されたＩＥを備えない、前記送信を引き起こすことと、
前記要求されたＰＤＵセッションを常時接続ＰＤＵセッションとすると判定すると、ＰＤＵセッション修正コマンドメッセージを受信することであって、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定される、前記受信することと、
前記要求されたＰＤＵセッションを常時接続ＰＤＵセッションとしないと判定すると、ＰＤＵセッション修正コマンドメッセージを受信することであって、
前記ＰＤＵセッション修正コマンドメッセージは、
前記ＵＥが前記常時接続ＰＤＵセッション要求されたＩＥを前記ＰＤＵセッション修正要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または、
前記ＵＥが前記常時接続ＰＤＵセッション要求されたＩＥを前記ＰＤＵセッション修正要求メッセージに含めなかった場合、常時接続ＰＤＵセッション指示ＩＥを備えない、
前記受信することと、
を少なくとも、前記装置に行わせる、ように構成される
前記装置。
【請求項７３】
前記少なくとも１つのメモリ及び前記コンピュータプログラムコードは、前記プロセッサと共に、前記装置に、
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、前記ＰＤＵセッションを常時接続ＰＤＵセッションと見なすようにさせるようにさらに構成される、請求項７２に記載の装置。
【請求項７４】
前記少なくとも１つのメモリ及び前記コンピュータプログラムコードは、前記プロセッサと共に、前記装置に、
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、前記ＰＤＵセッションを常時接続ＰＤＵセッションと見なさないようにさせるようにさらに構成される、請求項７２に記載の装置。
【請求項７５】
コンピュータ実行可能プログラムコード命令が記憶された少なくとも１つの非一時的コンピュータ可読記憶媒体を備えるコンピュータプログラム製品であって、前記コンピュータ実行可能プログラムコード命令は、
プロトコルデータユニット（ＰＤＵ）セッション修正要求メッセージの送信を引き起こすことであって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備える、または、前記ＰＤＵセッション修正要求メッセージは、前記常時接続ＰＤＵセッション要求されたＩＥを備えない、前記送信を引き起こすことと、
前記要求されたＰＤＵセッションを常時接続ＰＤＵセッションとすると判定すると、ＰＤＵセッション修正コマンドメッセージを受信することであって、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定される、前記受信することと、
前記要求されたＰＤＵセッションを常時接続ＰＤＵセッションとしないと判定すると、ＰＤＵセッション修正コマンドメッセージを受信することであって、
前記ＰＤＵセッション修正コマンドメッセージは、
前記ＵＥが前記常時接続ＰＤＵセッション要求されたＩＥを前記ＰＤＵセッション修正要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または、
前記ＵＥが前記常時接続ＰＤＵセッション要求されたＩＥを前記ＰＤＵセッション修正要求メッセージに含めなかった場合、常時接続ＰＤＵセッション指示ＩＥを備えない、
前記受信することと、
を行うためのプログラムコード命令を備える、前記コンピュータプログラム製品。
【請求項７６】
前記コンピュータ実行可能プログラムコード命令は、
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、前記ＰＤＵセッションを常時接続ＰＤＵセッションと見なすためのプログラムコード命令をさらに備える、
請求項７５に記載のコンピュータプログラム製品。
【請求項７７】
前記コンピュータ実行可能プログラムコード命令は、
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、前記ＰＤＵセッションを常時接続ＰＤＵセッションと見なさないためのプログラムコード命令をさらに備える、
請求項７５に記載のコンピュータプログラム製品。
【請求項７８】
プロトコルデータユニット（ＰＤＵ）セッション修正要求メッセージの送信を引き起こす手段であって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備える、または、前記ＰＤＵセッション修正要求メッセージは、前記常時接続ＰＤＵセッション要求されたＩＥを備えない、前記送信を引き起こす手段と、
前記要求されたＰＤＵセッションを常時接続ＰＤＵセッションとすると判定すると、ＰＤＵセッション修正コマンドメッセージを受信する手段であって、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定される、前記受信する手段と、
前記要求されたＰＤＵセッションを常時接続ＰＤＵセッションとしないと判定すると、ＰＤＵセッション修正コマンドメッセージを受信する手段であって、前記ＰＤＵセッション修正コマンドメッセージは、
前記ＵＥが前記常時接続ＰＤＵセッション要求されたＩＥを前記ＰＤＵセッション修正要求メッセージに含めた場合、常時接続ＰＤＵセッション指示ＩＥであって、「常時接続ＰＤＵセッションは許可されない」を示す値に設定される前記常時接続ＰＤＵセッション指示ＩＥを備える、または、
前記ＵＥが前記常時接続ＰＤＵセッション要求されたＩＥを前記ＰＤＵセッション修正要求メッセージに含めなかった場合、常時接続ＰＤＵセッション指示ＩＥを備えない、
前記受信する手段と、
を備える、装置。
【請求項７９】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、前記ＰＤＵセッションを常時接続ＰＤＵセッションと見なす手段
をさらに備える、請求項７８に記載の装置。
【請求項８０】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、前記ＰＤＵセッションを常時接続ＰＤＵセッションと見なさない手段
をさらに備える、請求項７８に記載の装置。
【発明の詳細な説明】
【技術分野】
【０００１】
例示的な実施形態は一般的に、プロトコルデータユニット（ＰＤＵ）セッションの属性として常時接続を提供し、常時接続ＰＤＵセッションに関してインターワーキングの側面を提供するための方法及び装置、より具体的には、ＰＤＵセッションを常時接続ＰＤＵセッションにし得るか否かの判定をネットワークが決定できるようにする機能を提供するための方法及び装置に関する。
【背景技術】
【０００２】
第５世代無線システム（５Ｇ）では、ユーザ機器（ＵＥ）は、別のサービス要求手順が進行している間は、サービス要求手順を開始することができない。つまり、新しいサービス要求手順は、古いサービス要求手順が完了した場合にのみ開始できる。この制限により、新しいサービス要求手順で再アクティブ化するように要求されたＰＤＵセッションを使用するサービスに遅延が発生する場合がある。
【０００３】
このような遅延は遅延の影響を受けやすいサービスにとって問題となり得るため、「常時接続ＰＤＵセッション」が導入された。常時接続ＰＤＵセッションは、５ＧＭＭ−ＩＤＬＥモードから５ＧＭＭ−ＣＯＮＮＥＣＴＥＤモードへの移行中にユーザプレーンリソースをアクティブ化する必要があるＰＤＵセッションである。このようなＰＤＵセッションは、上位層からの指示に基づいて確立されてよい。しかしながら、現在の仕様（すなわち、３ＧＰＰ  ＴＳ２４．５０１）は、ＵＥの上位層が指示を提供するようにどのように構成され得るかに関して、いかなる指示も提供しない。
【０００４】
そのため、ネットワーク制御が常時接続ＰＤＵセッションから欠落している。詳細には、ネットワークは、ＰＤＵセッションが常時接続ＰＤＵセッションであるかどうかを認識せず、ネットワークはＰＤＵセッションを常時接続ＰＤＵセッションまたは非常時接続ＰＤＵセッションに設定することができない。常時接続ＰＤＵセッションは、非常時接続ＰＤＵセッションよりも多くのネットワークリソースを消費し得るため、本出願では、常時接続ＰＤＵセッションのネットワーク制御を導入する解決法を提案する。
【発明の概要】
【０００５】
現在の仕様では、「常時接続」プロパティはＰＤＵセッションの属性とは見なされない。既存のＰＤＵセッション属性の例は、ＳＳＣモード、ＰＤＵセッションタイプ、ＤＮＮ、Ｓ−ＮＳＳＡＩである。これらの属性間で共通性を最大化する必要がある。より具体的には、ＵＥは、常時接続プロパティを決定するためのユーザのサブスクリプションチェックの数を最小限に抑えることができるので、ＰＤＵセッション確立要求メッセージを介して、ＰＤＵセッションを常時接続するように要求するか否かをネットワークに示すことができなければならない。つまり、常時接続プロパティが要求されておらず、ＤＮＮがインターネットである場合、ユーザのサブスクリプションを確認せずに、ＰＤＵセッションを非常時接続ＰＤＵセッションとして決定するようにＳＭＦを構成することができる。ただし、ネットワークがＰＤＵセッションを常時接続にすると決定できると誤解すべきではない。常時接続の判定は、ＵＥが要求した場合にのみ行われてよい。ただし、ＰＤＵセッションを常時接続ＰＤＵセッションにすることができるか否かは、ネットワークによって決定される。常時接続ＰＤＵセッションでは、システム間変更中にセッションの継続性が必要になる可能性があるため、インターワーキングの側面を指定する必要がある。現在の仕様には、これらのインターワーキングの側面が欠けている。
【０００６】
プロトコルデータユニット（ＰＤＵ）セッションの属性として常時接続を提供及び／または利用するために、また、常時接続ＰＤＵセッションに関してインターワーキングの側面を提供するために、例示的な実施形態に従って、方法、装置、及びコンピュータプログラム製品を提供する。さらに、ＰＤＵセッションを常時接続ＰＤＵセッションにし得るか否かの判定をネットワークによって決定できるようにする機能を提供するための方法、装置、及びコンピュータプログラム製品が提供される。
【０００７】
いくつかの実施形態では、サービス要求手順を実行するための方法が提供されてよく、方法は、ユーザ機器（ＵＥ）から、プロトコルデータユニット（ＰＤＵ）セッション確立要求メッセージを受信することであって、ＰＤＵセッション確立要求メッセージは、新しいＰＤＵセッションを確立する要求を示すように構成され、ＰＤＵセッション確立要求メッセージは、常時接続ＰＤＵセッション要求された情報要素（ＩＥ）を備え、常時接続ＰＤＵセッション要求されたＩＥは、新しい常時接続ＰＤＵセッションを確立する要求を示す値に設定される、または、ＰＤＵセッション確立要求メッセージは、常時接続ＰＤＵセッション要求されたＩＥを備えない、受信することと、ローカルポリシまたは構成と、常時接続ＰＤＵセッション要求されたＩＥが利用可能なインスタンスにおいて、常時接続ＰＤＵセッション要求されたＩＥとに基づいて、要求されたＰＤＵセッションが常時接続ＰＤＵセッションとして確立されるとするかどうかを判定することとを含む。
【０００８】
いくつかの実施形態では、方法は、要求されたＰＤＵセッションが常時接続ＰＤＵセッションとして確立されるとすると判定すると、ＰＤＵセッション確立承認メッセージの送信を引き起こすことをさらに備えてよく、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される。
【０００９】
いくつかの実施形態では、方法は、要求されたＰＤＵセッションが常時接続ＰＤＵセッションとして確立されないとすると判定すると、ＰＤＵセッション確立承認メッセージの送信を引き起こすことをさらに備えてよく、ＰＤＵセッション確立承認メッセージは、常時接続ＰＤＵセッション指示ＩＥを備え、ＵＥが常時接続ＰＤＵセッション要求されたＩＥをＰＤＵセッション確立要求メッセージに含めた場合、常時接続ＰＤＵセッション指示ＩＥは「常時接続ＰＤＵセッションは許可されない」を示す値に設定され、または、ＵＥが常時接続ＰＤＵセッション要求されたＩＥをＰＤＵセッション確立要求メッセージに含めなかった場合、常時接続ＰＤＵセッション指示ＩＥを備えない。
【００１０】
いくつかの実施形態では、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されるインスタンスにおいて、方法は、ＵＥに確立されたＰＤＵセッションを常時接続ＰＤＵセッションと見なすようにさせることをさらに備える。
【００１１】
いくつかの実施形態では、常時接続ＰＤＵセッション指示ＩＥがＰＤＵセッション確立承認メッセージに含まれていない、または常時接続ＰＤＵセッション指示ＩＥがＰＤＵセッション確立承認メッセージに含まれ、且つ、常時接続ＰＤＵセッション指示ＩＥが「常時接続ＰＤＵセッションは許可されない」を示す値に設定されるインスタンスにおいて、方法は、ＵＥに、確立されたＰＤＵセッションを常時接続ＰＤＵセッションと見なさないようにさせることをさらに備える。
【００１２】
いくつかの実施形態では、方法は、Ｎ１モードからＳ１モードへのシステム間変更時に、ＵＥ及びＳＭＦで、常時接続ＰＤＵセッション指示を維持することをさらに備えてよい。
【００１３】
いくつかの実施形態では、方法は、Ｓ１モードからＮ１モードへのシステム間変更時に、常時接続ＰＤＵセッション指示に基づいて、進化型パケットシステム（ＥＰＳ）から転送されたＰＤＵセッションが常時接続ＰＤＵセッションであるかどうかを判定することをさらに備えてよい。
【００１４】
いくつかの実施形態では、サービス要求手順を実行するための装置が提供されてよく、装置は、少なくとも１つのプロセッサと、コンピュータプログラムコードを含む少なくとも１つのメモリとを備え、少なくとも１つのメモリ及びコンピュータプログラムコードは、プロセッサと共に、ユーザ機器（ＵＥ）から、プロトコルデータユニット（ＰＤＵ）セッション確立要求メッセージを受信することであって、ＰＤＵセッション確立要求メッセージは、新しいＰＤＵセッションを確立する要求を示すように構成され、ＰＤＵセッション確立要求メッセージは、常時接続ＰＤＵセッション要求された情報要素（ＩＥ）を備え、常時接続ＰＤＵセッション要求されたＩＥは、新しい常時接続ＰＤＵセッションを確立する要求を示す値に設定される、またはＰＤＵセッション確立要求メッセージは常時接続ＰＤＵセッション要求されたＩＥを備えない、受信することと、ローカルポリシまたは構成と、常時接続ＰＤＵセッション要求されたＩＥが利用可能なインスタンスにおいて、常時接続ＰＤＵセッション要求されたＩＥとに基づいて、要求されたＰＤＵセッションが常時接続ＰＤＵセッションとして確立されるとするかどうかを判定することとを少なくとも、装置に行わせるように構成される。
【００１５】
いくつかの実施形態では、少なくとも１つのメモリ及びコンピュータプログラムコードは、プロセッサと共に、装置に、要求されたＰＤＵセッションが常時接続ＰＤＵセッションとして確立されるとすると判定すると、ＰＤＵセッション確立承認メッセージの送信を引き起こさせるようにさらに構成され、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される。
【００１６】
いくつかの実施形態では、少なくとも１つのメモリ及びコンピュータプログラムコードは、プロセッサと共に、装置に、要求されたＰＤＵセッションが常時接続ＰＤＵセッションとして確立されないとすると判定すると、ＰＤＵセッション確立承認メッセージの送信を引き起こさせるようにさらに構成され、ＰＤＵセッション確立承認メッセージは、常時接続ＰＤＵセッション指示ＩＥを備え、常時接続ＰＤＵセッション指示ＩＥは、ＵＥが常時接続ＰＤＵセッション要求されたＩＥをＰＤＵセッション確立要求メッセージに含めた場合、「常時接続ＰＤＵセッションは許可されない」を示す値に設定され、または、ＵＥが常時接続ＰＤＵセッション要求されたＩＥをＰＤＵセッション確立要求メッセージに含めなかった場合、常時接続ＰＤＵセッション指示ＩＥを備えない。
【００１７】
いくつかの実施形態では、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されるインスタンスにおいて、少なくとも１つのメモリ及びコンピュータプログラムコードは、プロセッサと共に、装置に、確立されたＰＤＵセッションを常時接続ＰＤＵセッションとＵＥに見なすようにさせるようにさらに構成される。
【００１８】
いくつかの実施形態では、常時接続ＰＤＵセッション指示ＩＥがＰＤＵセッション確立承認メッセージに含まれていない、または常時接続ＰＤＵセッション指示ＩＥがＰＤＵセッション確立承認メッセージに含まれており、且つ、常時接続ＰＤＵセッション指示ＩＥが、「常時接続ＰＤＵセッションは許可されない」を示す値に設定されるインスタンスにおいて、少なくとも１つのメモリ及びコンピュータプログラムコードは、プロセッサと共に、装置に、確立されたＰＤＵセッションを常時接続ＰＤＵセッションとＵＥに見なさないようにさせるようさらに構成される。
【００１９】
いくつかの実施形態では、少なくとも１つのメモリ及びコンピュータプログラムコードは、プロセッサと共に、装置に、Ｎ１モードからＳ１モードへのシステム間変更時、ＵＥ及びＳＭＦで、常時接続ＰＤＵセッション指示を維持させる、ようにさらに構成される。
【００２０】
いくつかの実施形態では、少なくとも１つのメモリ及びコンピュータプログラムコードは、プロセッサと共に、装置に、Ｓ１モードからＮ１モードへのシステム間変更時、常時接続ＰＤＵセッション指示に基づいて、進化型パケットシステム（ＥＰＳ）から転送されたＰＤＵセッションが常時接続ＰＤＵセッションであるかどうかを判定させる、ようにさらに構成される。
【００２１】
いくつかの実施形態では、サービス要求手順を実行するためのコンピュータプログラム製品を提供してよく、コンピュータプログラム製品は、コンピュータ実行可能プログラムコード命令を記憶した少なくとも１つの非一時的コンピュータ可読記憶媒体を備え、コンピュータ実行可能プログラムコード命令は、ユーザ機器（ＵＥ）から、プロトコルデータユニット（ＰＤＵ）セッション確立要求メッセージを受信することであって、ＰＤＵセッション確立要求メッセージは、新しいＰＤＵセッションを確立する要求を示すように構成され、ＰＤＵセッション確立要求メッセージは、常時接続ＰＤＵセッション要求された情報要素（ＩＥ）を備え、常時接続ＰＤＵセッション要求されたＩＥは、新しい常時接続ＰＤＵセッションを確立する要求を示す値に設定される、または、ＰＤＵセッション確立要求メッセージは、常時接続ＰＤＵセッション要求されたＩＥを備えない、受信することと、ローカルポリシ及び構成と、常時接続ＰＤＵセッション要求されたＩＥが利用可能なインスタンスにおいて、常時接続ＰＤＵセッション要求されたＩＥとに基づいて、要求されたＰＤＵセッションが常時接続ＰＤＵセッションとして確立されるとするかどうかを判定することと、を行うためのプログラムコード命令を備える。
【００２２】
いくつかの実施形態では、コンピュータ実行可能プログラムコード命令は、要求されたＰＤＵセッションが常時接続ＰＤＵセッションとして確立されるとすると判定すると、ＰＤＵセッション確立承認メッセージの送信を引き起こすプログラムコード命令をさらに備え、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される。
【００２３】
いくつかの実施形態では、コンピュータ実行可能プログラムコード命令は、要求されたＰＤＵセッションが常時接続ＰＤＵセッションとして確立されないとすると判定すると、ＰＤＵセッション確立承認メッセージの送信を引き起こすプログラムコード命令をさらに備え、ＰＤＵセッション確立承認メッセージは、常時接続ＰＤＵセッション指示ＩＥを備え、常時接続ＰＤＵセッション指示ＩＥは、ＵＥが常時接続ＰＤＵセッション要求されたＩＥをＰＤＵセッション確立要求メッセージに含めた場合、「常時接続ＰＤＵセッションは許可されない」を示す値に設定され、または、ＵＥが常時接続ＰＤＵセッション要求されたＩＥをＰＤＵセッション確立要求メッセージに含めなかった場合、常時接続ＰＤＵセッション指示ＩＥを備えない。
【００２４】
いくつかの実施形態では、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されるインスタンスにおいて、コンピュータ実行可能プログラムコード命令は、ＵＥが、確立されたＰＤＵセッションを常時接続ＰＤＵセッションと見なすようにさせるためのプログラムコード命令をさらに備える。
【００２５】
いくつかの実施形態では、常時接続ＰＤＵセッション指示ＩＥがＰＤＵセッション確立承認メッセージに含まれていない、または常時接続ＰＤＵセッション指示ＩＥがＰＤＵセッション確立承認メッセージに含まれ、且つ、常時接続ＰＤＵセッション指示ＩＥが、「常時接続ＰＤＵセッションは許可されない」を示す値に設定されているインスタンスにおいて、コンピュータ実行可能プログラムコード命令は、ＵＥが、確立されたＰＤＵセッションを常時接続ＰＤＵセッションと見なさないようにさせるためのプログラムコード命令をさらに備える。
【００２６】
いくつかの実施形態では、コンピュータ実行可能プログラムコード命令は、Ｎ１モードからＳ１モードへのシステム間変更時、ＵＥ及びＳＭＦで、常時接続ＰＤＵセッション指示を維持するプログラムコード命令をさらに備える。
【００２７】
いくつかの実施形態では、コンピュータ実行可能プログラムコード命令は、Ｓ１モードからＮ１モードへのシステム間変更時、常時接続ＰＤＵセッション指示に基づいて、進化型パケットシステム（ＥＰＳ）から転送されたＰＤＵセッションが常時接続ＰＤＵセッションであるかどうかを判定するプログラムコード命令をさらに備える。
【００２８】
いくつかの実施形態では、サービス要求手順を実行するための装置が提供されてよく、装置は、ユーザ機器（ＵＥ）からプロトコルデータユニット（ＰＤＵ）セッション確立要求メッセージを受信する手段であって、ＰＤＵセッション確立要求メッセージは、新しいＰＤＵセッションを確立する要求を示すように構成され、ＰＤＵセッション確立要求メッセージは、常時接続ＰＤＵセッション要求された情報要素（ＩＥ）を備え、常時接続ＰＤＵセッション要求されたＩＥは、新しい常時接続ＰＤＵセッションを確立する要求を示す値に設定される、またはＰＤＵセッション確立要求メッセージは、常時接続ＰＤＵセッション要求されたＩＥを備えない、受信する手段と、ローカルポリシまたは構成と、常時接続ＰＤＵセッション要求されたＩＥが利用可能なインスタンスにおいて、常時接続ＰＤＵセッション要求されたＩＥとに基づいて、要求されたＰＤＵセッションが常時接続ＰＤＵセッションとして確立されるとするかどうかを判定する手段とを備える。
【００２９】
いくつかの実施形態では、装置は、要求されたＰＤＵセッションが常時接続ＰＤＵセッションとして確立されるとすると判定すると、ＰＤＵセッション確立承認メッセージの送信を引き起こす手段をさらに備えてよく、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される。
【００３０】
いくつかの実施形態では、装置は、要求されたＰＤＵセッションが常時接続ＰＤＵセッションとして確立されないとすると判定すると、ＰＤＵセッション確立承認メッセージの送信を引き起こす手段をさらに備えてよく、ＰＤＵセッション確立承認メッセージは、常時接続ＰＤＵセッション指示ＩＥを備え、常時接続ＰＤＵセッション指示ＩＥは、ＵＥが常時接続ＰＤＵセッション要求されたＩＥをＰＤＵセッションに含めた場合、「常時接続ＰＤＵセッションは許可されない」を示す値に設定され、または、ＵＥが常時接続ＰＤＵセッション要求されたＩＥをＰＤＵセッション確立要求メッセージに含めなかった場合、常時接続ＰＤＵセッション指示ＩＥを備えない。
【００３１】
いくつかの実施形態では、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されているインスタンスにおいて、装置は、ＵＥに、確立されたＰＤＵセッションを常時接続ＰＤＵセッションと見なすようにさせるための手段をさらに備える。
【００３２】
いくつかの実施形態では、常時接続ＰＤＵセッション指示ＩＥがＰＤＵセッション確立承認メッセージに含まれていない、または、常時接続ＰＤＵセッション指示ＩＥがＰＤＵセッション確立承認メッセージに含まれ、且つ、常時接続ＰＤＵセッション指示ＩＥが、「常時接続ＰＤＵセッションは許可されない」を示す値に設定されているインスタンスにおいて、装置は、ＵＥに、確立されたＰＤＵセッションを常時接続ＰＤＵセッションと見なさないようにさせるための手段をさらに備える。
【００３３】
いくつかの実施形態では、装置は、Ｎ１モードからＳ１モードへのシステム間変更時、ＵＥ及びＳＭＦで、常時接続ＰＤＵセッション指示を維持する手段をさらに備えてよい。
【００３４】
いくつかの実施形態では、装置は、Ｓ１モードからＮ１モードへのシステム間変更時、常時接続ＰＤＵセッション指示に基づいて、進化型パケットシステム（ＥＰＳ）から転送されたＰＤＵセッションが常時接続ＰＤＵセッションであるかどうかを判定する手段をさらに備えてよい。
【００３５】
いくつかの実施形態では、プロトコルデータユニット（ＰＤＵ）セッション確立要求メッセージの送信を引き起こすことであって、ＰＤＵセッション確立要求メッセージは、新しいＰＤＵセッションを確立する要求を示すように構成され、ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備え、または、ＰＤＵセッション確立要求メッセージは、常時接続ＰＤＵセッション要求されたＩＥを備えない、送信を引き起こすことと、要求されたＰＤＵセッションが常時接続ＰＤＵセッションとして確立されるとすると判定すると、ＰＤＵセッション確立承認メッセージを受信することであって、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される、受信することと、要求されたＰＤＵセッションが常時接続ＰＤＵセッションとして確立されないとすると判定すると、ＰＤＵセッション確立承認メッセージを受信することであって、ＰＤＵセッション確立承認メッセージは、常時接続ＰＤＵセッション指示ＩＥを備え、常時接続ＰＤＵセッション指示ＩＥは、ＵＥが常時接続ＰＤＵセッション要求されたＩＥをＰＤＵセッション確立要求メッセージに含めた場合、「常時接続ＰＤＵセッションは許可されない」を示す値に設定され、ＵＥが常時接続ＰＤＵセッション要求されたＩＥをＰＤＵセッション確立要求メッセージに含めなかった場合、常時接続ＰＤＵセッション指示ＩＥを備えない、受信することと、を備える方法を提供してよい。
【００３６】
いくつかの実施形態では、方法は、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されているインスタンスにおいて、確立されたＰＤＵセッションを常時接続ＰＤＵセッションと見なすことをさらに備えてよい。
【００３７】
いくつかの実施形態では、方法は、常時接続ＰＤＵセッション指示ＩＥがＰＤＵセッション確立承認メッセージに含まれ、且つ、常時接続ＰＤＵセッション指示ＩＥが「常時接続ＰＤＵセッションは許可されない」を示す値に設定されるインスタンスにおいて、確立されたＰＤＵセッションを常時接続ＰＤＵセッションと見なさないことをさらに備えてよい。
【００３８】
いくつかの実施形態では、少なくとも１つのプロセッサと、コンピュータプログラムコードを含む少なくとも１つのメモリとを備える装置が提供されてよく、少なくとも１つのメモリ及びコンピュータプログラムコードは、プロセッサと共に、プロトコルデータユニット（ＰＤＵ）セッション確立要求メッセージの送信を引き起こすことであって、ＰＤＵセッション確立要求メッセージは、新しいＰＤＵセッションを確立する要求を示すように構成され、ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備える、または、ＰＤＵセッション確立要求メッセージは、常時接続ＰＤＵセッション要求されたＩＥを備えない、送信を引き起こすことと、要求されたＰＤＵセッションが常時接続ＰＤＵセッションとして確立されるとすると判定すると、ＰＤＵセッション確立承認メッセージを受信することであって、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定されている、受信することと、要求されたＰＤＵセッションが常時接続ＰＤＵセッションとして確立されないとすると判定すると、ＰＤＵセッション確立承認メッセージを受信することであって、ＰＤＵセッション確立承認メッセージは、常時接続ＰＤＵセッション指示ＩＥを備え、常時接続ＰＤＵセッション指示ＩＥは、ＵＥが常時接続ＰＤＵセッション要求されたＩＥをＰＤＵセッション確立要求メッセージに含めた場合、「常時接続ＰＤＵセッションは許可されない」を示す値に設定され、または、ＵＥが常時接続ＰＤＵセッション要求されたＩＥをＰＤＵセッション確立要求メッセージに含めなかった場合、常時接続ＰＤＵセッション指示ＩＥを備えない、受信することと、を少なくとも、装置に行わせるように構成される。
【００３９】
いくつかの実施形態で、少なくとも１つのメモリ及びコンピュータプログラムコードは、プロセッサと共に、装置に、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されているインスタンスにおいて、確立されたＰＤＵセッションを常時接続ＰＤＵセッションと見なすようにさせるようにさらに構成される。
【００４０】
いくつかの実施形態では、少なくとも１つのメモリ及びコンピュータプログラムコードは、プロセッサと共に、装置に、常時接続ＰＤＵセッション指示ＩＥがＰＤＵセッション確立承認メッセージに含まれ、且つ、常時接続ＰＤＵセッション指示ＩＥが、「常時接続ＰＤＵセッションは許可されない」を示す値に設定されているインスタンスにおいて、確立されたＰＤＵセッションを常時接続ＰＤＵセッションと見なさないようにさせるようにさらに構成される。
【００４１】
いくつかの実施形態において、コンピュータ実行可能プログラムコード命令を記憶した少なくとも１つの非一時的コンピュータ可読記憶媒体を備えるコンピュータプログラム製品が提供されてよく、コンピュータ実行可能プログラムコード命令は、プロトコルデータユニット（ＰＤＵ）セッション確立要求メッセージの送信を引き起こすことであって、ＰＤＵセッション確立要求メッセージは、新しいＰＤＵセッションを確立する要求を示すように構成され、ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備える、または、ＰＤＵセッション確立要求メッセージは、常時接続ＰＤＵセッション要求されたＩＥを備えない、送信を引き起こすこと、要求されたＰＤＵセッションが常時接続ＰＤＵセッションとして確立されるとすると判定すると、ＰＤＵセッション確立承認メッセージを受信することあって、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される、受信することと、要求されたＰＤＵセッションが常時接続ＰＤＵセッションとして確立されないとすると判定すると、ＰＤＵセッション確立承認メッセージを受信することであって、ＰＤＵセッション確立承認メッセージは、常時接続ＰＤＵセッション指示ＩＥを備え、常時接続ＰＤＵセッション指示ＩＥは、ＵＥが常時接続ＰＤＵセッション要求されたＩＥをＰＤＵセッション確立要求メッセージに含めた場合、「常時接続ＰＤＵセッションは許可されない」を示す値に設定され、または、ＵＥが常時接続ＰＤＵセッション要求されたＩＥをＰＤＵセッション確立要求メッセージに含めなかった場合、常時接続ＰＤＵセッション指示ＩＥを備えない、受信することと、を行うためのプログラムコード命令を備える。
【００４２】
いくつかの実施形態では、コンピュータ実行可能プログラムコード命令は、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されているインスタンスにおいて、確立されたＰＤＵセッションを常時接続ＰＤＵセッションと見なすプログラムコード命令をさらに備える。
【００４３】
いくつかの実施形態では、コンピュータ実行可能プログラムコード命令は、常時接続ＰＤＵセッション指示ＩＥがＰＤＵセッション確立承認メッセージに含まれ、且つ、常時接続ＰＤＵセッション指示ＩＥが「常時接続ＰＤＵセッションは許可されない」を示す値に設定されているインスタンスにおいて、確立されたＰＤＵセッションを常時接続ＰＤＵセッションと見なさないプログラムコード命令をさらに備える。
【００４４】
いくつかの実施形態では、プロトコルデータユニット（ＰＤＵ）セッション確立要求メッセージの送信を引き起こす手段であって、ＰＤＵセッション確立要求メッセージは、新しいＰＤＵセッションを確立する要求を示すように構成され、ＰＤＵセッション確立要求メッセージは、新しい常時接続プロトコルデータユニット（ＰＤＵ）セッションを確立する要求を示す値に設定された常時接続ＰＤＵセッション要求された情報要素（ＩＥ）を備える、または、ＰＤＵセッション確立要求メッセージは、常時接続ＰＤＵセッション要求されたＩＥを備えない、送信を引き起こす手段と、要求されたＰＤＵセッションが常時接続ＰＤＵセッションとして確立されるとすると判定すると、ＰＤＵセッション確立承認メッセージを受信する手段であって、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される、受信する手段と、要求されたＰＤＵセッションが常時接続ＰＤＵセッションとして確立されないとすると判定すると、ＰＤＵセッション確立承認メッセージを受信する手段であって、ＰＤＵセッション確立承認メッセージは、常時接続ＰＤＵセッション指示ＩＥを備え、常時接続ＰＤＵセッション指示ＩＥは、ＵＥが常時接続ＰＤＵセッション要求されたＩＥをＰＤＵセッション確立要求メッセージに含めた場合、「常時接続ＰＤＵセッションは許可されない」を示す値に設定され、または、ＵＥが常時接続ＰＤＵセッション要求されたＩＥをＰＤＵセッション確立要求メッセージに含めなかった場合、常時接続ＰＤＵセッション指示ＩＥを備えない、受信する手段と、を備える装置が提供されてよい。
【００４５】
いくつかの実施形態では、装置は、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されているインスタンスにおいて、確立されたＰＤＵセッションを常時接続ＰＤＵセッションと見なす手段をさらに備えてよい。
【００４６】
いくつかの実施形態では、装置は、常時接続ＰＤＵセッション指示ＩＥがＰＤＵセッション確立承認メッセージに含まれ、且つ、常時接続ＰＤＵセッション指示ＩＥが「常時接続ＰＤＵセッションは許可されない」を示す値に設定されているインスタンスにおいて、確立されたＰＤＵセッションを常時接続ＰＤＵセッションと見なさない手段をさらに備えてよい。
【００４７】
いくつかの実施形態では、ユーザ機器（ＵＥ）から、プロトコルデータユニット（ＰＤＵ）セッション修正要求メッセージを受信することであって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションにする要求を示す値に設定された情報要素（ＩＥ）を備える、受信することと、ローカルポリシまたは構成に基づいて、要求されたＰＤＵセッションを常時接続ＰＤＵセッションとするかどうかを判定することと、を備える方法を提供してよい。
【００４８】
いくつかの実施形態では、要求されたＰＤＵセッションを常時接続ＰＤＵセッションとすると判定すると、方法は、ＰＤＵセッション修正コマンドメッセージの送信を引き起こすことをさらに備え、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される。
【００４９】
いくつかの実施形態では、要求されたＰＤＵセッションを常時接続ＰＤＵセッションとしないと判定すると、ＰＤＵセッション修正コマンドメッセージの送信を引き起こすことをさらに備え、ＰＤＵセッション修正コマンドメッセージは、常時接続ＰＤＵセッション指示ＩＥを備え、常時接続ＰＤＵセッション指示ＩＥは、「常時接続ＰＤＵセッションは許可されない」を示す値に設定される。
【００５０】
いくつかの実施形態では、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されるインスタンスにおいて、方法は、ＵＥに、ＰＤＵセッションを常時接続ＰＤＵセッションと見なすようにさせることをさらに備える。
【００５１】
いくつかの実施形態では、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されるインスタンスにおいて、方法は、ＵＥに、ＰＤＵセッションを常時接続ＰＤＵセッションと見なさないようにさせることをさらに備える。
【００５２】
いくつかの実施形態では、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定することと、要求されたＰＤＵセッションが常時接続ＰＤＵセッションである必要があると判定すると、ＰＤＵセッション修正コマンドメッセージに含まれる常時接続ＰＤＵセッション指示ＩＥを「常時接続ＰＤＵセッションが要求されている」を示す値に設定することである。
【００５３】
いくつかの実施形態では、方法は、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定することと、要求されたＰＤＵセッションが常時接続ＰＤＵセッションである必要がないと判定すると、ＰＤＵセッション修正コマンドメッセージに含まれる常時接続ＰＤＵセッション指示ＩＥを「常時接続ＰＤＵセッションは許可されない」を示す値に設定することとをさらに備えてよい。
【００５４】
いくつかの実施形態では、少なくとも１つのプロセッサと、コンピュータプログラムコードを含む少なくとも１つのメモリとを備える装置が提供されてよく、少なくとも１つのメモリ及びコンピュータプログラムコードは、プロセッサと共に、ユーザ機器（ＵＥ）から、プロトコルデータユニット（ＰＤＵ）セッション修正要求メッセージを受信することであって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションとする要求を示す値に設定された情報要素（ＩＥ）を含む、受信することと、ローカルポリシまたは構成に基づいて、要求されたＰＤＵセッションを常時接続ＰＤＵセッションとするかどうかを判定することとを少なくとも、装置に行わせるように構成される。
【００５５】
いくつかの実施形態では、少なくとも１つのメモリ及びコンピュータプログラムコードは、プロセッサと共に、要求されたＰＤＵセッションを常時接続ＰＤＵセッションとすると判定すると、装置にＰＤＵセッション修正コマンドメッセージの送信を引き起こさせるようにさらに構成され、PＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される。
【００５６】
いくつかの実施形態では、少なくとも１つのメモリ及びコンピュータプログラムコードは、プロセッサと共に、要求されたＰＤＵセッションを常時接続ＰＤＵセッションとしないと判定すると、装置にＰＤＵセッション修正コマンドメッセージの送信を引き起こさせるようにさらに構成され、ＰＤＵセッション修正コマンドメッセージは、常時接続ＰＤＵセッション指示ＩＥを備え、常時接続ＰＤＵセッション指示ＩＥは、「常時接続ＰＤＵセッションは許可されない」を示す値に設定される。
【００５７】
いくつかの実施形態では、少なくとも１つのメモリ及びコンピュータプログラムコードは、プロセッサと共に、装置に、常時接続ＰＤＵセッション指示ＩＥが、ＰＤＵセッション修正コマンドに含まれ、且つ、常時接続ＰＤＵセッション指示ＩＥが「常時接続ＰＤＵセッションが要求されている」を示す値に設定されているインスタンスにおいて、ＵＥに、ＰＤＵセッションを常時接続ＰＤＵセッションと見なすようにさせるようにさらに構成される。
【００５８】
いくつかの実施形態では、少なくとも１つのメモリ及びコンピュータプログラムコードは、プロセッサと共に、装置に、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、ＵＥに、ＰＤＵセッションを常時接続ＰＤＵセッションと見なさないようにさせるようにさらに構成される。
【００５９】
いくつかの実施形態では、少なくとも１つのメモリ及びコンピュータプログラムコードは、プロセッサと共に、装置に、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定させ、要求されたＰＤＵセッションが常時接続ＰＤＵセッションである必要があると判定すると、ＰＤＵセッション修正コマンドメッセージに含まれる常時接続ＰＤＵセッション指示ＩＥを「常時接続ＰＤＵセッションが要求されている」を示す値に設定させるようにさらに構成される。
【００６０】
いくつかの実施形態では、少なくとも１つのメモリ及びコンピュータプログラムコードは、プロセッサと共に、装置に、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定させ、要求されたＰＤＵセッションが常時接続ＰＤＵセッションである必要がないと判定すると、ＰＤＵセッション修正コマンドメッセージに含まれる常時接続ＰＤＵセッション指示ＩＥを、「常時接続ＰＤＵセッションは許可されない」を示す値に設定させるようにさらに構成される。
【００６１】
いくつかの実施形態では、コンピュータ実行可能プログラムコード命令が記憶された少なくとも１つの非一時的コンピュータ可読記憶媒体を備えるコンピュータプログラム製品が提供されてよく、コンピュータ実行可能プログラムコード命令は、ユーザ機器（ＵＥ）からプロトコルデータユニット（ＰＤＵ）セッション修正要求メッセージを受信することであって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションにする要求を示す値に設定された情報要素（ＩＥ）を備える、受信することと、ローカルポリシまたは構成に基づいて、要求されたＰＤＵセッションを常時接続ＰＤＵセッションにするべきかどうかを判定することと、を行うためのプログラムコード命令を含む。
【００６２】
いくつかの実施形態では、要求されたＰＤＵセッションを常時接続ＰＤＵセッションとすると判定すると、コンピュータ実行可能プログラムコード命令は、ＰＤＵセッション修正コマンドメッセージの送信を引き起こすプログラムコード命令をさらに備え、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される。
【００６３】
いくつかの実施形態では、要求されたＰＤＵセッションを常時接続ＰＤＵセッションとしないと判定すると、コンピュータ実行可能プログラムコード命令は、ＰＤＵセッション修正コマンドメッセージの送信を引き起こすプログラムコード命令をさらに備え、ＰＤＵセッション修正コマンドメッセージは、常時接続ＰＤＵセッション指示ＩＥを備え、常時接続ＰＤＵセッション指示ＩＥは、「常時接続ＰＤＵセッションは許可されない」示す値に設定される。
【００６４】
いくつかの実施形態では、常時接続ＰＤＵセッション指示ＩＥがＰＤＵセッション修正コマンドメッセージに含まれ、常時接続ＰＤＵセッション指示ＩＥが「常時接続ＰＤＵセッション」を示す値に設定されているインスタンスにおいて、コンピュータ実行可能プログラムコード命令は、ＵＥに、ＰＤＵセッションを常時接続ＰＤＵセッションと見なすようにさせるプログラムコード命令をさらに備える。
【００６５】
いくつかの実施形態では、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、コンピュータ実行可能プログラムコード命令は、ＵＥに、ＰＤＵセッションを常時接続ＰＤＵセッションと見なさないようにさせるプログラムコード命令をさらに備える。
【００６６】
いくつかの実施形態では、コンピュータ実行可能プログラムコード命令は、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定することと、要求されたＰＤＵセッションが常時接続ＰＤＵセッションである必要があると判定すると、ＰＤＵセッション修正コマンドメッセージに含まれる常時接続ＰＤＵセッション指示ＩＥを「常時接続ＰＤＵセッションが要求されている」を示す値に設定することと、を行うためのプログラムコード命令をさらに備える。
【００６７】
いくつかの実施形態では、コンピュータ実行可能プログラムコード命令は、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定することと、要求されたＰＤＵセッションが常時接続ＰＤＵセッションである必要がないと判定すると、ＰＤＵセッション修正コマンドメッセージに含まれる常時接続ＰＤＵセッション指示ＩＥを「常時接続ＰＤＵセッションは許可されない」を示す値に設定することと、を行うためのプログラムコード命令をさらに備える。
【００６８】
いくつかの実施形態では、ユーザ機器（ＵＥ）から、プロトコルデータユニット（ＰＤＵ）セッション修正要求メッセージを受信する手段であって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションにする要求を示す値に設定された情報要素（ＩＥ）を備える、受信する手段と、ローカルポリシまたは構成に基づいて、要求されたＰＤＵセッションを常時接続ＰＤＵセッションにするかどうかを判定する手段とを備える装置が提供されてよい。
【００６９】
いくつかの実施形態では、装置は、要求されたＰＤＵセッションを常時接続ＰＤＵセッションとすると判定すると、ＰＤＵセッション修正コマンドメッセージの送信を引き起こす手段をさらに備えてよく、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される。
【００７０】
いくつかの実施形態では、装置は、要求されたＰＤＵセッションを常時接続ＰＤＵセッションとしないと判定すると、ＰＤＵセッション修正コマンドメッセージの送信を引き起こす手段をさらに備えてよく、ＰＤＵセッション修正コマンドメッセージは、常時接続ＰＤＵセッション指示ＩＥを備え、常時接続ＰＤＵセッション指示ＩＥは、「常時接続ＰＤＵセッションは許可されない」を示す値に設定される。
【００７１】
いくつかの実施形態では、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されているインスタンスにおいて、装置は、ＵＥにＰＤＵセッションを常時接続ＰＤＵセッションと見なすようにさせるための手段をさらに備える。
【００７２】
いくつかの実施形態では、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、装置は、ＵＥにＰＤＵセッションを常時接続ＰＤＵセッションと見なさないようにさせるための手段をさらに備える。
【００７３】
いくつかの実施形態では、装置は、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定する手段と、要求されたＰＤＵセッションが常時接続ＰＤＵセッションである必要があると判定すると、ＰＤＵセッション修正コマンドメッセージに含まれる常時接続ＰＤＵセッション指示ＩＥを「常時接続ＰＤＵセッションが要求されている」を示す値に設定する手段とをさらに備えてよい。
【００７４】
いくつかの実施形態では、装置は、Ｓ１モードからＮ１モードへのシステム間変更時、ＳＭＦのローカルポリシまたは構成に基づいて、要求されたＰＤＵセッションが常時接続ＰＤＵセッションである必要があるかどうかを判定する手段と、要求されたＰＤＵセッションが常時接続ＰＤＵセッションである必要がないと判定すると、ＰＤＵセッション修正コマンドメッセージに含まれる常時接続ＰＤＵセッション指示ＩＥを「常時接続ＰＤＵセッションは許可されない」を示す値に設定する手段とをさらに備えてよい。
【００７５】
いくつかの実施形態では、プロトコルデータユニット（ＰＤＵ）セッション修正要求メッセージの送信を引き起こすことであって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションとする要求を示す値に設定された情報要素（ＩＥ）を備える、送信を引き起こすことと、要求されたＰＤＵセッションが常時接続ＰＤＵセッションとすると判定すると、ＰＤＵセッション修正コマンドメッセージを受信することであって、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される、受信することと、要求されたＰＤＵセッションを常時接続ＰＤＵセッションとしないと判定すると、ＰＤＵセッション修正コマンドメッセージを受信することであって、ＰＤＵセッション修正コマンドメッセージは、常時接続ＰＤＵセッション指示ＩＥを備え、常時接続ＰＤＵセッション指示ＩＥは、「常時接続ＰＤＵセッションは許可されない」を示す値に設定される、受信することと、を備える方法が提供されてよい。
【００７６】
いくつかの実施形態では、方法は、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されているインスタンスにおいて、ＰＤＵセッションを常時接続ＰＤＵセッションと見なすことをさらに備えてよい。
【００７７】
いくつかの実施形態では、方法は、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、ＰＤＵセッションを常時接続ＰＤＵセッションと見なさないことをさらに備えてよい。
【００７８】
いくつかの実施形態では、少なくとも１つのプロセッサと、コンピュータプログラムコードを含む少なくとも１つのメモリとを備える装置が提供されてよく、少なくとも１つのメモリ及びコンピュータプログラムコードは、プロセッサと共に、プロトコルデータユニット（ＰＤＵ）セッション修正要求メッセージの送信を引き起こすことであって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションにする要求を示す値に設定された情報要素（ＩＥ）を備える、送信を引き起こすことと、要求されたＰＤＵセッションを常時接続ＰＤＵセッションとすると判定すると、ＰＤＵセッション修正コマンドメッセージを受信することであって、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される、受信することと、要求されたＰＤＵセッションを常時接続ＰＤＵセッションとしないと判定すると、ＰＤＵセッション修正コマンドメッセージを受信することであって、ＰＤＵセッション修正コマンドメッセージは、常時接続ＰＤＵセッション指示ＩＥを備え、常時接続ＰＤＵセッション指示ＩＥは、「常時接続ＰＤＵセッションは許可されない」を示す値に設定される、受信することと、を少なくとも、装置に行わせるように構成される。
【００７９】
いくつかの実施形態では、少なくとも１つのメモリ及びコンピュータプログラムコードは、プロセッサと共に、装置に、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されているインスタンスにおいて、ＰＤＵセッションを常時接続ＰＤＵセッションと見なすようにさせるようにさらに構成される。
【００８０】
いくつかの実施形態では、少なくとも１つのメモリ及びコンピュータプログラムコードは、プロセッサと共に、装置に、常時接続ＰＤＵセッション指示ＩＥがＰＤＵセッション修正コマンドメッセージに含まれ、且つ、常時接続ＰＤＵセッション指示ＩＥが、「常時接続ＰＤＵセッションは許可されない」を示す値に設定されるインスタンスにおいて、ＰＤＵセッションを常時接続ＰＤＵセッションと見なさないようにさせるようにさらに構成される。
【００８１】
いくつかの実施形態では、コンピュータ実行可能プログラムコード命令が記憶された少なくとも１つの非一時的コンピュータ可読記憶媒体を備えるコンピュータプログラム製品が提供されてよく、コンピュータ実行可能プログラムコード命令は、プロトコルデータユニット（ＰＤＵ）セッション修正要求メッセージの送信を引き起こすことであって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションにする要求を示す値に設定された情報要素（ＩＥ）を備える、送信を引き起こすことと、要求されたＰＤＵセッションを常時接続ＰＤＵセッションとすると判定すると、ＰＤＵセッション修正コマンドメッセージを受信することであって、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される、受信することと、要求されたＰＤＵセッションを常時接続ＰＤＵセッションとしないと判定すると、ＰＤＵセッション修正コマンドメッセージを受信することであって、ＰＤＵセッション修正コマンドメッセージは、常時接続ＰＤＵセッション指示ＩＥを含み、常時接続ＰＤＵセッション指示ＩＥは、「常時接続ＰＤＵセッションは許可されない」を示す値に設定される、受信することと、を行うためのプログラムコード命令を備える。
【００８２】
いくつかの実施形態では、コンピュータ実行可能プログラムコード命令は、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されているインスタンスにおいて、ＰＤＵセッションを常時接続ＰＤＵセッションと見なすプログラムコード命令をさらに備える。
【００８３】
いくつかの実施形態では、コンピュータ実行可能プログラムコード命令は、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、ＰＤＵセッションを常時接続ＰＤＵセッションと見なさないプログラムコード命令をさらに備える。
【００８４】
いくつかの実施形態では、プロトコルデータユニット（ＰＤＵ）セッション修正要求メッセージの送信を引き起こす手段であって、ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、ＰＤＵセッション修正要求メッセージは、ＰＤＵセッションを常時接続プロトコルデータユニット（ＰＤＵ）セッションにする要求を示す値に設定された情報要素（ＩＥ）を備える、送信を引き起こす手段と、要求されたＰＤＵセッション常時接続ＰＤＵセッションとすると判定すると、ＰＤＵセッション修正コマンドメッセージを受信する手段であって、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される、受信する手段と、要求されたＰＤＵセッションを常時接続ＰＤＵセッションとしないと判定すると、ＰＤＵセッション修正コマンドメッセージを受信する手段であって、ＰＤＵセッション修正コマンドメッセージは、常時接続ＰＤＵセッション指示ＩＥを備え、常時接続ＰＤＵセッションＰＤＵセッション指示ＩＥは、「常時接続ＰＤＵセッションは許可されない」を示す値に設定される、受信する手段と、を備える装置が提供されてよい。
【００８５】
いくつかの実施形態では、装置は、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されているインスタンスにおいて、ＰＤＵセッションを常時接続ＰＤＵセッションと見なす手段をさらに備えてよい。
【００８６】
いくつかの実施形態では、装置は、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、ＰＤＵセッションを常時接続ＰＤＵセッションと見なさない手段をさらに備えてよい。
【００８７】
このように本開示の様々な実施形態を一般的な用語で説明してきた。以下、添付の図面を参照するが、図面は必ずしも縮尺通りではない。
【図面の簡単な説明】
【００８８】
【図１Ａ】本開示の例示的な実施形態による、具体的に構成され得るシステムのブロック図である。
【図１Ｂ】本開示の例示的な実施形態による、具体的に構成され得るシステムのブロック図である。
【図２】本開示の例示的な実施形態による、具体的に構成され得る装置のブロック図である。
【図３】本発明の例示的な実施形態を示すデータフロー図である。
【図４】本開示の例示的な実施形態による、図２の装置などによって実行される操作を示すフローチャートである。
【図５】本開示の例示的な実施形態による、図２の装置などによって実行される操作を示すフローチャートである。
【図６】本発明の例示的な実施形態を示すデータフロー図である。
【図７】本開示の例示的な実施形態による、図２の装置などによって実行される操作を示すフローチャートである。
【図８】本開示の例示的な実施形態による、図２の装置などによって実行される操作を示すフローチャートである。
【発明を実施するための形態】
【００８９】
本発明のいくつかの実施形態を添付の図面を参照して、以下にさらに詳細に記載する。以下の記載では、本発明の全てではなく、一部が示される。実際に、本発明の様々な実施形態は、多くの異なる形態で具体化されてよく、本明細書に記載される実施形態に限定されると解釈されるべきではない。むしろ、これらの実施形態は、本開示が適用可能な法的要件を満たすように提供される。類似の数字は、全体を通して類似の要素を指す。本明細書で使用される場合、「データ」、「コンテンツ」、「情報」という用語、及び類似の用語は、本発明の実施形態によって、送信、受信、及び／または記憶することができるデータを指すために交換可能に使用されてよい。したがって、そのような用語の使用は、本発明の実施形態の精神及び範囲を制限すると見なされるべきではない。
【００９０】
さらに、本明細書で使用される場合、「回路」という用語は、（ａ）ハードウェアのみの回路実装（例えば、アナログ回路及び／またはデジタル回路での実装）、（ｂ）回路と、１つまたは複数のコンピュータ可読メモリに記憶されたソフトウェア及び／またはファームウェア命令を含むコンピュータプログラム製品（複数可）の組み合わせ。これらは協働して、装置に本明細書に記載の１つまたは複数の機能を実行させる、及び、（ｃ）例えば、マイクロプロセッサ（複数可）またはマイクロプロセッサ（複数可）の一部など、ソフトウェアまたはファームウェアが物理的に存在しない場合でも、動作のためにソフトウェアまたはファームウェアを必要とする回路を指す。「回路」のこの定義は、請求項を含む、本明細書におけるこの用語の全ての使用に適用される。さらなる例として、本明細書で使用される場合、「回路」という用語は、１つまたは複数のプロセッサ及び／またはその一部（複数可）、ならびに付随するソフトウェア及び／またはファームウェアを含む実装も含む。別の例として、本明細書で使用される「回路」という用語は、例えば、携帯電話用のベースバンド集積回路またはアプリケーションプロセッサ集積回路、またはサーバ、セルラーネットワークデバイス、他のネットワークデバイス、フィールドプログラマブルゲートアレイ、及び／または他のコンピューティングデバイスの類似の集積回路も含む。
【００９１】
本明細書の定義では、物理記憶媒体（例えば、揮発性または不揮発性メモリデバイス）を指す「コンピュータ可読記憶媒体」は、電磁気信号を指す「コンピュータ可読伝送媒体」と区別されてよい。
【００９２】
ＰＤＵセッションの属性として常時接続を提供するために、方法、装置、及びコンピュータプログラム製品が提供されてよい。常時接続ＰＤＵセッションに関してインターワーキングの側面を提供するための方法、装置、及びコンピュータプログラム製品も提供されてよい。ＰＤＵセッションが常時接続ＰＤＵセッションであってよいか否かの判定をネットワークによって決定できるようにする機能を提供するための方法、装置、及びコンピュータプログラム製品も提供されてよい。
【００９３】
ここで図１を参照すると、複数のステーション１０と１つまたは複数の無線基地局／アクセスポイント１２との間の通信をサポートする例示的なシステム（例えば、複数の無線基地局／アクセスポイントが地理的地域に配備されてよく、同じ周波数チャネルで動作し得る高密度システムシナリオ）を示し、各無線基地局／アクセスポイントは、１つまたは複数のステーションと通信してよく、一実施形態では、多数の局と通信してよい。次に、無線基地局／アクセスポイントは、ネットワーク１４と通信してよい。無線基地局／アクセスポイントは、５Ｇ、ロングタームエボリューション（ＬＴＥ）、またはＬＴＥアドバンスト（ＬＴＥ−Ａ）ネットワークを介して通信してよいが、他のネットワークが、アクセスポイント間の通信をサポートしてよい。他のネットワークには、広帯域符号分割多元接続（Ｗ−ＣＤＭＡ）、ＣＤＭＡ２０００、グローバルシステムフォーモバイルコミュニケーションズ（ＧＳＭ）、汎用パケット無線システム（ＧＰＲＳ）、例えば、ＩＥＥＥ８０２．１１ａｈもしくは８０２．１１ａｃ規格、または他のより新しい規格の修正を含むＩＥＥＥ８０２．１１規格、ワイヤレスローカルアクセスネットワーク（ＷＬＡＮ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）プロトコル、ユニバーサルモバイルテレコミュニケーションシステム（ＵＭＴＳ）地上無線アクセスネットワーク（ＵＴＲＡＮ）等、並びに、例えば、ＷｉｒｅｌｅｓｓＨＡＲＴ、ブルートゥース、ＺｉｇＢｅｅ等の産業用ワイヤレス通信ネットワークを含み得るマルチドメインネットワークに関する他の規格に従って構成されたネットワークが含まれる。
【００９４】
無線基地局／アクセスポイント１２及びステーション１０は、有線通信を介して通信してよいが、最も一般的には、ワイヤレス通信を介して通信してよい。例えば、無線基地局／アクセスポイント及びステーションは、ＩＥＥＥ８０２．１１ａｈ規格で定義されているサブ１ＧＨｚ帯域で、または、例えば、ＩＥＥＥ８０２．１１ａｃ規格で定義され得る５ＧＨｚ帯域で通信してよい。無線基地局／アクセスポイントは、アクセスポイント、基地局、ノードＢ、進化したノードＢ（ｅＮＢ）、無線ネットワークコントローラ（ＲＮＣ）、無線ネットワークコントローラ（ＲＮＣ）、モバイルデバイス／ステーション（例えば、携帯電話、スマートフォン、ポータブルデジタルアシスタント（ＰＤＡ）、ページャ、ラップトップコンピュータ、タブレットコンピュータ、または他の多数のハンドヘルドもしくはポータブル通信デバイス、計算デバイス、コンテンツ生成デバイス、コンテンツ消費デバイス、またはそれらの組み合わせ）などの様々なネットワークエンティティのいずれかによって具体化されてよい。ステーションはまた、センサ、メータ等の様々なデバイスによって具体化されてよい。センサ及びメータは、ガスメータ、水メータ、電力メータなどとして機能するユーティリティアプリケーション、環境及び／または農業モニタリングアプリケーション、産業プロセス自動化アプリケーション、車両または輸送の自動化アプリケーション、ヘルスケア及びフィットネスアプリケーション、ビルディング自動化及び制御アプリケーション、及び／または温度検知アプリケーションを含む様々な異なるアプリケーションに配備されてよい。センサまたはメータによって具体化されるステーションは、いくつかの実施形態において、センサ及びメータのデータをバックホールするために利用されてよい。あるいは、ステーションは、例えば、携帯電話、スマートフォン、ポータブルデジタルアシスタント（ＰＤＡ）、ページャ、ラップトップコンピュータ、タブレットコンピュータなどのモバイル通信デバイス、または他の多数のハンドヘルドもしくはポータブル通信デバイス、計算デバイス、コンテンツ生成デバイス、コンテンツ消費デバイス、またはそれらの組み合わせのいずれか等、モバイル端末またはユーザ機器（ＵＥ）によって具体化されてよい。ステーションがモバイル端末によって具体化される実施形態では、アクセスポイントとステーションとの間の通信は、例えば、ホットスポットの範囲を拡張することによって、Ｗｉ−Ｆｉまたは他のワイヤレスローカルエリアネットワーク（ＷＬＡＮ）の範囲を拡張するのに役立ってよく、拡張されない場合、セルラまたは他のネットワークによって伝搬されたであろうトラフィックをオフロードするのに役立ち得る。
【００９５】
無線基地局／アクセスポイント１２及び／またはステーション１０は、装置２０として具体化されてよい、または、装置２０を含んでよい。装置２０は、図２のブロック図によって一般的に表される各デバイスの機能を実行するように具体的に構成される。装置は、例えば、無線基地局／アクセスポイントまたはステーションによって採用されてよいが、以下に記載されるコンポーネント、デバイスまたは要素は必須ではなく、したがって、特定の実施形態では一部が省略され得ることに留意されたい。さらに、いくつかの実施形態は、本明細書に示され、説明されるコンポーネント、デバイス、または要素以外とは異なるまたは追加のコンポーネント、デバイス、または要素を含んでよい。
【００９６】
図１Ｂは、現在のドラフト３ＧＰＰ仕様における５Ｇアーキテクチャの原理を示す。特に、図１Ｂは、本開示の例示的な実施形態によるネットワーク化されたシステム１００である。図１Ｂは、無線アクセスネットワーク（ＲＡＮ）１０４、アクセス及びモビリティ管理機能（ＡＭＦ）１０８、並びにユーザプレーン機能（ＵＰＦ）１０６と通信し得るユーザ機器（ＵＥ）１０２を具体的に示す。次に、ＡＭＦ１０８は、セッション管理機能（ＳＭＦ）１１０及びポリシ制御機能（ＰＣＦ）１１４を含むコアネットワークサービスと通信してよい。コアネットワークサービスはまた、アプリケーションサーバ／アプリケーション機能（ＡＳ／ＡＦ）１１２と通信してよい。他のネットワークサービスには、ネットワークスライス選択機能（ＮＳＳＦ）１２２、認証サーバ機能（ＡＵＳＦ）１２０、ユーザデータ管理（ＵＤＭ）１１８、及びデータネットワーク（ＤＮ）１１６も含まれる。
【００９７】
無線基地局／アクセスポイント１２及び／またはステーション１０、ＵＥ１０２、ＳＭＦ１１０を含むがこれに限定されないネットワークデバイスのいずれか、または図に示す他のデバイスのいずれかを具体化するデバイスのタイプにかかわらず、無線基地局／アクセスポイント１２及び／またはステーション１０、ＵＥ１０２、または図示の他のデバイスのいずれかは、図２に示されるように、装置２０を含んでよい、または装置２０に関連付けられてよい。この点で、装置は、プロセッサ２２、メモリデバイス２４、及び通信インタフェース２６を含んでよい、または、これらと通信してよい。したがって、いくつかの実施形態では、デバイスまたは要素は互いに通信しているように示されているが、以下、そのようなデバイスまたは要素は、同じデバイスまたは要素内で具体化できると見なされるべきであり、したがって、通信していると示されるデバイスまたは要素は、代替的に、同じデバイスまたは要素の一部であると理解されるべきである。
【００９８】
いくつかの実施形態では、プロセッサ２２（及び／またはコプロセッサまたはプロセッサを支援する、または、プロセッサに関連付けられた他の任意の処理回路）は、装置の構成要素間で情報を伝えるためのバスを介してメモリデバイス２４と通信してよい。メモリデバイスは、例えば、１つまたは複数の揮発性及び／または不揮発性メモリを含んでよい。言い換えれば、例えば、メモリデバイスは、マシン（例えば、プロセッサのようなコンピューティングデバイス）によって検索可能であってよいデータ（例えば、ビット）を記憶するように構成されたゲートを含む電子ストレージデバイス（例えば、コンピュータ可読記憶媒体）であってよい。メモリデバイスは、装置２０が本発明の例示的な実施形態による様々な機能を実行することを可能にするための情報、データ、コンテンツ、アプリケーション、命令などを記憶するように構成されてよい。例えば、メモリデバイスは、プロセッサによる処理のために入力データをバッファリングするように構成することができる。追加的または代替的に、メモリデバイスは、プロセッサによる実行のための命令を記憶するように構成することができる。
【００９９】
上記のように、装置２０は、本発明の例示的な実施形態を採用するように構成されたコンピューティングデバイス１０によって具体化されてよい。しかしながら、いくつかの実施形態では、装置は、チップまたはチップセットとして具体化されてよい。言い換えれば、装置は、構造的アセンブリ（例えば、ベースボード）上の材料、コンポーネント、及び／またはワイヤを含む１つまたは複数の物理的パッケージ（例えば、チップ）を含んでよい。構造的アセンブリは、それに含まれるコンポーネント回路の物理的強度、サイズの保存、及び／または電気的相互作用の制限を提供し得る。したがって、装置は、場合によっては、本発明の実施形態を単一のチップ上に、または単一の「システムオンチップ」として実装するように構成されてよい。したがって、場合によっては、チップまたはチップセットは、本明細書に記載の機能を提供するための１つまたは複数の動作を実行するための手段を構成し得る。
【０１００】
プロセッサ２２は、いくつかの異なる方法で具体化されてよい。例えば、プロセッサは、コプロセッサ、マイクロプロセッサ、コントローラ、デジタル信号プロセッサ（ＤＳＰ）、付随するＤＳＰを伴うもしくは伴わない処理要素、または、例えば、ＡＳＩＣ（特定用途向け集積回路）、ＦＰＧＡ（フィールドプログラマブルゲートアレイ）、マイクロコントローラユニット（ＭＣＵ）、ハードウェアアクセラレータ、専用コンピュータチップなどの集積回路を含む様々な他の処理回路などの様々なハードウェア処理手段のうちの１つまたは複数として具体化されてよい。したがって、いくつかの実施形態では、プロセッサは、独立して実行するように構成された１つまたは複数の処理コアを含み得る。マルチコアプロセッサは、単一の物理パッケージ内でマルチプロセッシングを可能にし得る。追加的または代替的に、プロセッサは、命令、パイプライン及び／またはマルチスレッドの独立した実行を可能にするために、バスを介してタンデムに構成された１つまたは複数のプロセッサを含み得る。
【０１０１】
例示的な実施形態では、プロセッサ２２は、メモリデバイス２４に記憶された、またはプロセッサがアクセス可能な命令を実行するように構成されてよい。代替的または追加的に、プロセッサは、ハードコードされた機能を実行するように構成されてよい。したがって、ハードウェアまたはソフトウェアの方法によって構成されようと、またはそれらの組み合わせによって構成されようと、プロセッサは、それに応じて構成されながら、本発明の実施形態による動作を実行できる（例えば、物理的に回路で具体化される）エンティティを表してよい。したがって、例えば、プロセッサがＡＳＩＣ、ＦＰＧＡなどとして具体化される場合、プロセッサは、本明細書に記載の動作を実行するために特別に構成されたハードウェアであってよい。あるいは、別の例として、プロセッサがソフトウェア命令の実行者として具体化される場合、命令は、命令が実行されるときに本明細書に記載のアルゴリズム及び／または動作を実行するようにプロセッサを具体的に構成してよい。しかしながら、場合によっては、プロセッサは、本明細書に記載のアルゴリズム及び／または動作を実行するための命令によるプロセッサのさらなる構成によって、本発明の実施形態を採用するように構成された特定のデバイスのプロセッサであってよい。プロセッサは、とりわけ、クロック、算術論理ユニット（ＡＬＵ）、及びプロセッサの動作をサポートするように構成された論理ゲートを含み得る。
【０１０２】
一方、通信インタフェース２６は、コンピューティングデバイス１０とサーバ１２との間でデータを受信及び／または送信するように構成された、ハードウェアまたはハードウェアとソフトウェアの組み合わせのいずれかで具体化されるデバイスまたは回路などの任意の手段であってよい。これに関して、通信インタフェース２６は、例えば、アンテナ（または複数のアンテナ）と、無線で通信を可能にするためのサポートハードウェア及び／またはソフトウェアを含み得る。追加的または代替的に、通信インタフェースは、アンテナ（複数可）と相互作用して、アンテナ（複数可）を介して信号を送信させるための、またはアンテナ（複数可）を介して受信された信号の受信を処理するための回路を含み得る。例えば、通信インタフェースは、Ｗｉ−Ｆｉ、ブルートゥース、または他の無線通信技術を介するなど、ヘッドマウントディスプレイ１０と無線で通信するように構成されてよい。場合によっては、通信インタフェースは、代替的に、または追加で、有線通信をサポートしてよい。したがって、例えば、通信インタフェースは、ケーブル、デジタル加入者線（ＤＳＬ）、ユニバーサルシリアルバス（ＵＳＢ）または他の機構を介した通信をサポートするための通信モデム及び／または他のハードウェア／ソフトウェアを含み得る。例えば、通信インタフェースは、有線通信を介してコンピューティングデバイスの他のコンポーネントと通信するように構成されてよい。
【０１０３】
図３は、本発明の例示的な実施形態を示すデータフロー図を示す。特に、図３は、ＵＥによって開始されたＰＤＵセッション確立手順の開始と、それに続くＳＭＦ応答とを示す。例えば、いくつかの実施形態では、ＵＥは、ＵＥが要求したＰＤＵセッション確立手順を開始してよい。ＵＥが新しい常時接続ＰＤＵセッションの確立を要求する場合、ＵＥは常時接続ＰＤＵセッション要求された情報要素（ＩＥ）を含み、ＩＥの値を「常時接続ＰＤＵセッションが要求されている」などに設定する。したがって、３０５に示すように、ＵＥ１０２は、ＳＭＦ１１０に、ＰＤＵセッション確立要求メッセージを提供してよい。その後、同じく３０５で、ＳＭＦ１１０は、ＵＥ１０２から、ＰＤＵセッション確立要求メッセージを受信する。ＰＤＵセッション確立要求メッセージは、常時接続ＰＤＵセッション要求されたＩＥを含んでよく、常時接続ＰＤＵセッション要求されたＩＥは、「常時接続ＰＤＵセッションが要求されている」などの値に設定される。
【０１０４】
「常時接続ＰＤＵセッションが要求されている」等の値に設定されたＰＤＵセッション確立要求メッセージの常時接続ＰＤＵセッション要求されたＩＥの受信に続いて、例えば、ＳＭＦのローカルポリシまたは構成に基づいて判定が行われてよい。すなわち、図３のステップ３１０に示すように、ＵＥからのＰＤＵセッション確立要求メッセージの受信に続いて、ＳＭＦは、ＵＥにＰＤＵセッション確立承認メッセージを提供してよい。いくつかの実施形態では、例えば、ＳＭＦが、要求されたＰＤＵセッションが常時接続ＰＤＵセッションとして確立される必要があると判定した場合、ＳＭＦは、常時接続ＰＤＵセッション指示ＩＥを、ＰＤＵセッション確立承認メッセージに含め、値を「常時接続ＰＤＵセッションが要求されている」に設定することとする。いくつかの実施形態では、例えば、ＳＭＦが、要求されたＰＤＵセッションを常時接続ＰＤＵセッションとして確立されないとすると判定し、且つ、ＵＥが常時接続ＰＤＵセッション要求されたＩＥを含む場合、ＳＭＦは、ＰＤＵセッション確立承認メッセージに常時接続ＰＤＵセッション指示ＩＥを含め、値を「常時接続ＰＤＵセッションは許可されない」に設定することとする。いくつかの実施形態では、例えば、ＳＭＦが、要求されたＰＤＵセッションを常時接続ＰＤＵセッションとして確立されないとすると判定し、且つ、ＵＥが、常時接続ＰＤＵセッション要求されたＩＥを含めなかった場合、ＳＭＦは、ＰＤＵセッション確立承認メッセージに常時接続ＰＤＵセッション指示ＩＥを含まないとする。
【０１０５】
その後、常時接続ＰＤＵセッション指示ＩＥがＰＤＵセッション確立承認メッセージに含まれ、値が「常時接続ＰＤＵセッションが要求されている」に設定されている場合、ＵＥは確立されたＰＤＵセッションを常時接続ＰＤＵセッションと見なすこととする。ただし、常時接続ＰＤＵセッション指示ＩＥがＰＤＵセッション確立承認メッセージに含まれているが、値が「常時接続ＰＤＵセッションは許可されない」に設定されている場合、ＵＥは確立されたＰＤＵセッションを常時接続ＰＤＵセッションと見なさないこととする。ＵＥは、ＰＤＵセッション確立承認メッセージで常時接続ＰＤＵセッション指示ＩＥを受信しない場合、確立されたＰＤＵセッションを常時接続ＰＤＵセッションと見なさないこととする。
【０１０６】
Ｎ１モードからＳ１モードへのシステム間変更に関しては、Ｎ１モードからＳ１モードへのシステム間変更後、ＵＥとＳＭＦは常時接続ＰＤＵセッション指示を維持することとする。ＵＥが５ＧＳに戻るとき（すなわち、Ｓ１モードからＮ１モードへのシステム間変更）、ＵＥ及びＳＭＦは、常時接続ＰＤＵセッション指示を使用して、ＥＰＳから転送されたＰＤＵセッションが常時接続ＰＤＵセッションかどうかを判定してよい。
【０１０７】
Ｓ１モードからＮ１モードへのシステム間変更に関して、５ＧＭＭ−ＩＤＬＥモードでＳ１モードからＮ１モードへのシステム間変更時、ＵＥは、常時接続ＰＤＵセッション指示が、もしあれば、ＵＥに維持される常時接続ＰＤＵセッションに設定することとする。
【０１０８】
図５及び図６は、例えば、ＰＤＵセッション確立手順を利用するために、詳細には、ＰＤＵセッションの属性として常時接続を提供及び／または利用し、常時接続ＰＤＵセッションに関してインターワーキングの側面を提供するために、例えば、それぞれ、ＳＭＦ及びＵＥによって具体化される装置によって実行される動作を示す。すなわち、別の例示的な実施形態では、ＰＤＵセッションを確立する手順を提供するため、詳細には、ＰＤＵセッションの属性として常時接続を利用して常時接続ＰＤＵセッションを提供するかどうか判定し、常時接続ＰＤＵセッションを提供すると判定すると、常時接続ＰＤＵセッションを提供するための方法、装置、及び／またはコンピュータプログラム製品を提供してよい。図５は、本発明の実施形態に従って実行される、例えば、ＳＭＦ１１０によって具体化される、例示的な装置、例えば、装置２００を動作させる方法を示す例示的なフローチャートである。
【０１０９】
例示的な実施形態では、装置２０は、ＵＥから、ＰＤＵセッション確立要求メッセージを受信するように構成されたプロセッサ２１０などの手段を含む。いくつかの実施形態では、ＰＤＵセッション確立要求メッセージは、新しいＰＤＵセッションを確立するための要求を示すように構成されてよい。いくつかの実施形態では、ＰＤＵセッション確立要求メッセージは、新しい常時接続ＰＤＵセッションを確立する要求を示す値に設定されたＩＥを含み得る。図４のブロック４０５を参照する。
【０１１０】
その後、上記のように、判定が行われてよい。したがって、装置２００は、ローカルポリシまたは構成に基づいて、要求されたＰＤＵセッションが常時接続ＰＤＵセッションとして確立されるとするかどうかを判定するように構成されたプロセッサ２１０などの手段を含む。図４のブロック４１０を参照する。判定は、要求されたＰＤＵセッションが常時接続ＰＤＵセッションとして確立されるとする、あるいは、要求されたＰＤＵセッションが常時接続ＰＤＵセッションとして確立されないとするという判定をもたらし得る。したがって、装置２０は、要求されたＰＤＵセッションが常時接続ＰＤＵセッションとして確立されるとするという判定に基づいて、ＰＤＵセッション確立承認メッセージの送信を引き起こすように構成されたプロセッサ２１０などの手段を含み、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される。図４のブロック４１５を参照する。装置２０は、要求されたＰＤＵセッションが常時接続ＰＤＵセッションとして確立されないとするという判定に基づいて、ＰＤＵセッション確立承認メッセージの送信を引き起こすように構成されたプロセッサ２１０などの手段を含み、ＰＤＵセッション確立承認メッセージは、常時接続ＰＤＵセッション指示ＩＥを備え、常時接続ＰＤＵセッション指示ＩＥは、「常時接続ＰＤＵセッションは許可されない」を示す値に設定される。図４のブロック４２０を参照する。
【０１１１】
常時接続ＰＤＵセッション指示ＩＥが「常時接続ＰＤＵセッションが要求されている」または「常時接続ＰＤＵセッションは許可されない」のいずれかに設定される効果として、ＵＥは新しく確立されたＰＤＵセッションのステータスについて通知される。装置２０は、常時接続ＰＤＵセッション指示ＩＥがＰＤＵセッション確立承認メッセージに含まれ、且つ、常時接続ＰＤＵセッション指示ＩＥが、「常時接続ＰＤＵセッションが要求されている」を示す値に設定されるインスタンスにおいて、確立されたＰＤＵセッションを常時接続ＰＤＵセッションとＵＥに見なすようにさせるように構成されたプロセッサ２１０などの手段を含む。図４のブロック４２５を参照する。装置２０は、常時接続ＰＤＵセッション指示ＩＥがＰＤＵセッション確立承認メッセージに含まれ、且つ、常時接続ＰＤＵセッション指示ＩＥが「常時接続ＰＤＵセッションは許可されない」を示す値に設定されるインスタンスにおいて、確立されたＰＤＵセッションを常時接続ＰＤＵセッションとＵＥに見なさないようにさせるように構成されたプロセッサ２１０などの手段を含む。図４のブロック４３０を参照する。
【０１１２】
装置２０は、Ｎ１モードからＳ１モードへのシステム間変更時、ＵＥ及びＳＭＦにおいて、常時接続ＰＤＵセッション指示を維持するように構成されたプロセッサ２１０などの手段を含む。図４のブロック４３５を参照する。装置２０は、Ｓ１モードからＮ１モードへのシステム間変更時、常時接続ＰＤＵセッション指示に基づいて、進化型パケットシステム（ＥＰＳ）から転送されたＰＤＵセッションが常時接続ＰＤＵセッションであるかどうかを判定するように構成されたプロセッサ２１０などの手段を含む。図４のブロック４４０を参照する。
【０１１３】
図５は、常時接続ＰＤＵセッションを要求するための例示的な実施形態を示すフローチャートである。詳細には、ＵＥが、ＵＥが要求したＰＤＵセッション確立手順を開始してよく、例えば、ＵＥが新しい常時接続ＰＤＵセッションを確立するように構成されるインスタンスにおいて、ＵＥは、常時接続ＰＤＵセッション要求された情報要素（ＩＥ）を含むこととし、ＩＥの値を「常時接続ＰＤＵセッションが要求されている」などに設定する。ＰＤＵセッションの常時接続属性ＩＥを利用する常時接続ＰＤＵセッションを要求するために装置２００によって実行される動作が、図５のフローチャートに示される。
【０１１４】
装置２０は、プロトコルデータユニット（ＰＤＵ）セッション確立要求メッセージの送信を引き起こすように構成されたプロセッサ２１０などの手段を含む。いくつかの実施形態では、例えば、ＵＥが常時接続ＰＤＵセッションを必要とするように構成されている実施形態では、ＰＤＵセッション確立要求メッセージは、新しいＰＤＵセッションを確立する要求を示すように構成されてよく、それによって、ＰＤＵセッション確立要求メッセージは、新しい常時接続ＰＤＵセッションを確立する要求を示す値に設定されたＩＥを備える。図５のブロック５０５を参照する。
【０１１５】
ＰＤＵセッション確立要求メッセージの送信時、例えば、ＳＭＦによって判定が行われてよい。装置２０は、要求されたＰＤＵセッションを常時接続ＰＤＵセッションとして確立されるとすると判定すると、ＰＤＵセッション確立承認メッセージを受信するように構成されたプロセッサ２１０などの手段を含み、ＰＤＵセッション確立承認メッセージは、常時接続ＰＤＵセッション指示ＩＥを備え、常時接続ＰＤＵセッション指示ＩＥは、「常時接続ＰＤＵセッションが要求されている」を示す値に設定される。図５のブロック５１０を参照する。
【０１１６】
装置２０はまた、例えばＳＭＦによって、要求されたＰＤＵセッションが常時接続ＰＤＵセッションとして確立されないとすると判定すると、ＰＤＵセッション確立承認メッセージを受信するように構成されたプロセッサ２１０などの手段を含んでよく、ＰＤＵセッション確立承認メッセージは、常時接続ＰＤＵセッション指示ＩＥを備え、常時接続ＰＤＵセッション指示ＩＥは、「常時接続ＰＤＵセッションは許可されない」を示す値に設定される。図５のブロック５１５を参照する。
【０１１７】
装置２０は、常時接続ＰＤＵセッション指示ＩＥがＰＤＵセッション確立承認メッセージに含まれ、且つ、常時接続ＰＤＵセッション指示ＩＥが「常時接続ＰＤＵセッションが要求されている」を示す値に設定されるインスタンスにおいて、確立されたＰＤＵセッションを常時接続ＰＤＵセッションと見なすように構成されたプロセッサ２１０などの手段を含む。図５のブロック５２０を参照する。装置２０は、常時接続ＰＤＵセッション指示ＩＥがＰＤＵセッション確立承認メッセージに含まれ、且つ、常時接続ＰＤＵセッション指示ＩＥが、「常時接続ＰＤＵセッションは許可されない」を示す値に設定されているインスタンスにおいて、確立されたＰＤＵセッションを常時接続ＰＤＵセッションと見なさないように構成されたプロセッサ２１０などの手段を含む。図５のブロック５２５を参照する。
【０１１８】
図６は、本発明の例示的な実施形態を示すデータフロー図を示す。詳細には、図６は、ＰＤＵセッション修正手順を示す。例えば、いくつかの実施形態では、Ｓ１モード（すなわち、ＵＥ及びＳＭＦが、維持された常時接続ＰＤＵセッション指示を持たない）時に確立されたＰＤＮ接続について、Ｓ１モードからＮ１モードへの最初のシステム間変更後（例えば、図６の６０５）、ＵＥがＮ２６無しのインターワーキングをサポートしていないネットワークで単一登録モードで動作しており、且つ、ＵＥがＰＤＮ接続を５ＧＳで常時接続ＰＤＵセッションとすることを要求する場合、ＵＥは常時接続ＰＤＵセッション要求されたＩＥを含み、ＩＥの値を「常時接続ＰＤＵセッションが要求されている」に設定することとする。図６の６１０を参照する。
【０１１９】
その後、要求されたＰＤＵセッションが常時接続ＰＤＵセッションとして確立されるか否かに関して、ＳＭＦで判定が行われる。判定がなされると、ＳＭＦは、例えば、ＵＥに、ＰＤＵセッション確立コマンドメッセージを提供してよい。図６の６１５を参照する。詳細には、Ｓ１モードで確立されたＰＤＮ接続について、Ｓ１モードからＮ１モードへの最初のシステム間変更時に、ネットワークが要求したＰＤＵセッション修正手順がＵＥが要求したＰＤＵセッション修正手順によってトリガされ、ＳＭＦが、ＳＭＦのローカルポリシまたは構成と、ＰＤＵセッション修正要求メッセージ内の常時接続ＰＤＵセッション修正要求メッセージ（存在する場合）とに基づいて、要求されたＰＤＵセッションが常時接続ＰＤＵセッションである必要があると判定する場合、ＳＭＦは、常時接続ＰＤＵセッション指示ＩＥをＰＤＵセッション修正コマンドメッセージに含め、値を「常時接続ＰＤＵセッションが要求されている」に設定することとする。あるいは、Ｓ１モード時に確立されたＰＤＮ接続について、Ｓ１モードからＮ１モードへの最初のシステム間変更時に、ネットワークが要求したＰＤＵセッション修正手順がＵＥが要求したＰＤＵセッション修正手順によってトリガされ、ＳＭＦが、ＳＭＦのローカルポリシまたは構成と、ＰＤＵセッション修正要求メッセージの常時接続ＰＤＵセッション要求されたＩＥ（存在する場合）とに基づいて、要求されたＰＤＵセッションを常時接続ＰＤＵセッションとしないと判定し、ＵＥが常時接続ＰＤＵセッション要求されたＩＥを含めた場合、ＳＭＦは常時接続ＰＤＵセッション指示ＩＥをＰＤＵセッション修正コマンドメッセージに含め、値を「常時接続ＰＤＵセッションは許可されない」に設定することとする。
【０１２０】
ネットワークが要求したＰＤＵセッション修正手順が、Ｓ１モードからＮ１モードへの最初のシステム間変更時に、Ｓ１モード時に確立されたＰＤＮ接続に対するＵＥが要求したＰＤＵセッション修正手順によってトリガされるこれらの実施形態では、ＳＭＦが、ＳＭＦのローカルポリシまたは構成と、ＰＤＵセッション修正要求メッセージの常時接続ＰＤＵセッション要求されたＩＥ（存在する場合）とに基づいて、要求されたＰＤＵセッションを常時接続ＰＤＵセッションとしないと判定し、ＵＥが、常時接続ＰＤＵセッション要求されたＩＥを含めなかった場合、ＳＭＦは、常時接続ＰＤＵセッション指示ＩＥをＰＤＵセッション修正コマンドメッセージに含めない。
【０１２１】
その後、常時接続ＰＤＵセッション指示ＩＥがＰＤＵセッション修正コマンドメッセージに含まれ、値が「常時接続ＰＤＵセッションが要求されている」に設定される場合、ＵＥは確立されたＰＤＵセッションを常時接続ＰＤＵセッションと見なす。一方、常時接続ＰＤＵセッション指示ＩＥがＰＤＵセッション修正コマンドメッセージに含まれ、値が「常時接続ＰＤＵセッションは許可されない」に設定される場合、ＵＥは確立されたＰＤＵセッションを常時接続ＰＤＵセッションと見なさない。ＵＥは、ＰＤＵセッション修正コマンドメッセージで常時接続ＰＤＵセッション指示ＩＥを受信しない場合、修正されたＰＤＵセッションを常時接続ＰＤＵセッションと見なさない。
【０１２２】
いくつかの実施形態では、Ｓ１モード時に確立されたＰＤＮ接続について、Ｓ１モードからＮ１モードへの最初のシステム間変更時に、ＳＭＦのローカルポリシまたは構成に基づいて、ＳＭＦが、要求されたＰＤＵセッションが常時接続ＰＤＵセッションである必要があると判定した場合、ＳＭＦは常時接続ＰＤＵセッション指示ＩＥをＰＤＵセッション修正コマンドメッセージに含め、値を「常時接続ＰＤＵセッションが要求されている」に設定することとする。
【０１２３】
一方、Ｓ１モード時に確立されたＰＤＮ接続について、Ｓ１モードからＮ１モードへの最初のシステム間変更時に、ＳＭＦのローカルポリシまたは構成に基づいて、ＳＭＦが、要求されたＰＤＵセッションを常時接続ＰＤＵセッションにしないと判定した場合、ＳＭＦは、常時接続ＰＤＵセッション指示ＩＥをＰＤＵセッション修正コマンドメッセージに含め、値を「常時接続ＰＤＵセッションは許可されない」に設定することとする。そうでない場合、ＳＭＦは、常時接続ＰＤＵセッション指示ＩＥをＰＤＵセッション修正コマンドメッセージに含めないこととする。
【０１２４】
最後に、常時接続ＰＤＵセッション指示ＩＥがＰＤＵセッション修正コマンドメッセージに含まれ、値が「常時接続ＰＤＵセッションが要求されている」に設定されている場合、ＵＥはＰＤＵセッションを常時接続ＰＤＵセッションと見なすこととする。常時接続ＰＤＵセッション指示ＩＥがＰＤＵセッション修正コマンドメッセージに含まれ、値が「常時接続ＰＤＵセッションは許可されない」に設定されているインスタンスにおいて、ＵＥはＰＤＵセッションを常時接続ＰＤＵセッションと見なさないこととする。この場合、ＵＥは、常時接続ＰＤＵセッションでの上位層からの指示を無視し、常時接続ＰＤＵセッションに関する指示が無視されることを上位層に通知するように構成されてよい。
【０１２５】
図７及び図８は、例えば、Ｓ１モード時に確立されたＰＤＮ接続に修正手順を提供するために、ＳＭＦ及びＵＥによってそれぞれ、具体化された装置によって実行される動作を示す。すなわち、別の例示的な実施形態では、Ｓ１モード時に確立されたＰＤＮ接続に修正手順を提供するための方法、装置、及び／またはコンピュータプログラム製品が提供されてよい。図７は、本発明の実施形態に従って行われる、例えば、ＳＭＦ１１０によって具体化される、例示的な装置、例えば、装置２００を動作させる方法を示す例示的なフローチャートである。
【０１２６】
例示的な実施形態では、装置２００は、ＵＥから、ＰＤＵセッション修正要求メッセージを受信するように構成されたプロセッサ２１０などの手段を備え、ＰＤＵセッション修正要求メッセージは、Ｓ１モード時に確立されたＰＤＮ接続に対応するＰＤＵセッションを、Ｓ１モードからＮ１モードへの最初のシステム間変更後、修正する要求を示すように構成され、ＰＤＵセッション修正要求メッセージは、ＰＤＵセッションを常時接続ＰＤＵセッションにする要求を示す値に設定されたＩＥを備える、または、ＰＤＵセッション修正要求メッセージは、常時接続ＰＤＵセッション要求されたＩＥを備えない。図７のブロック７０５を参照する。例示的な実施形態では、装置２００は、ローカルポリシまたは構成と、常時接続ＰＤＵセッション要求されたＩＥが利用可能であるインスタンスにおいて、常時接続ＰＤＵセッション要求されたＩＥとに基づいて、要求されたＰＤＵセッションを常時接続ＰＤＵセッションとするかどうかを判定するように構成されたプロセッサ２１０などの手段を含む。図７のブロック７１０を参照する。
【０１２７】
例示的な実施形態では、装置２００は、要求されたＰＤＵセッションを常時接続ＰＤＵセッションとすると判定すると、ＰＤＵセッション修正コマンドメッセージの送信を引き起こすように構成されたプロセッサ２１０などの手段を備え、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される。図７のブロック７１５を参照する。装置２００はまた、要求されたＰＤＵセッションを常時接続ＰＤＵセッションにしないと判定すると、ＰＤＵセッション修正コマンドメッセージの送信を引き起こすように構成されたプロセッサ２１０などの手段を備えてよく、ＰＤＵセッション修正コマンドメッセージは、ＵＥが常時接続ＰＤＵセッション要求されたＩＥをＰＤＵセッション確立要求メッセージに含めた場合、常時接続ＰＤＵセッション指示ＩＥを備え、または、ＵＥが常時接続ＰＤＵセッション要求されたＩＥをＰＤＵセッション確立要求メッセージに含めなかった場合、常時接続ＰＤＵセッション指示ＩＥを備えない。図７のブロック７２０を参照する。
【０１２８】
その後、例示的な実施形態では、装置２００は、常時接続ＰＤＵセッション指示ＩＥがＰＤＵセッション修正コマンドメッセージに含まれない、または、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されているインスタンスにおいて、ＵＥにＰＤＵセッションを常時接続ＰＤＵセッションと見なすようにさせるように構成されたプロセッサ２１０などの手段を備える。図７のブロック７２５を参照する。装置２００は次に、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、ＵＥにＰＤＵセッションを常時接続ＰＤＵセッションと見なさないようにさせるように構成されたプロセッサ２１０などの手段も備えてよい。図７のブロック７３０を参照する。
【０１２９】
例示的な実施形態では、装置２００は、Ｓ１モードからＮ１モードへのシステム間変更時に、ＳＭＦのローカルポリシまたは構成に基づいて、要求されたＰＤＵセッションが常時接続ＰＤＵセッションである必要があるかどうかを判定し、要求されたＰＤＵセッションが常時接続ＰＤＵセッションである必要があると判定すると、ＰＤＵセッション修正コマンドメッセージに含まれる常時接続ＰＤＵセッション指示ＩＥを「常時接続ＰＤＵセッションが要求されている」を示す値に設定するように構成されたプロセッサ２１０などの手段を備える。図７のブロック７３５を参照する。
【０１３０】
例示的な実施形態では、装置２００は、Ｓ１モードからＮ１モードへのシステム間変更時に、ＳＭＦのローカルポリシまたは構成に基づいて、要求されたＰＤＵセッションが常時接続ＰＤＵセッションである必要があるかどうかを判定し、要求されたＰＤＵセッションが常時接続ＰＤＵセッションである必要がないと判定すると、ＰＤＵセッション修正コマンドメッセージに含まれる常時接続ＰＤＵセッション指示ＩＥを、「常時接続ＰＤＵセッションは許可されない」を示す値に設定するように構成されたプロセッサ２１０などの手段を備える。図７のブロック７４０を参照する。
【０１３１】
上記のように、図８は、Ｓ１モード時に確立されたＰＤＮ接続の修正手順に関して、例えば、ＵＥによって具体化された装置によって実行される動作を示す。すなわち、別の例示的な実施形態では、Ｓ１モード時に確立されたＰＤＮ接続の修正手順を可能にするための方法、装置、及び／またはコンピュータプログラム製品が提供されてよい。図８は、本発明の実施形態に従って実施される、例えば、ＵＥ１０２によって具体化される、例示的な装置、例えば、装置２００を操作する方法を示す例示的なフローチャートである。
【０１３２】
例示的な実施形態では、装置２００は、ＰＤＵセッション修正要求メッセージの送信を引き起こすように構成されたプロセッサ２１０などの手段を備え、ＰＤＵセッション修正要求メッセージは、Ｓ１モード時に確立されたＰＤＮ接続に対応するＰＤＵセッションを、Ｓ１モードからＮ１モードへの最初のシステム間変更後、修正する要求を示すように構成される。いくつかの実施形態では、ＰＤＵセッション修正要求メッセージは、ＩＥを備えてよく、ＩＥの値は、ＰＤＵセッションを常時接続ＰＤＵセッションにする要求を示す値に設定される、または、ＰＤＵセッション修正要求メッセージは、常時接続ＰＤＵセッション要求されたＩＥを備えない。図８のブロック８０５を参照する。
【０１３３】
その後、要求されたＰＤＵセッションを常時接続ＰＤＵセッションとするか否かに関して、ＳＭＦで判定が行われる。判定がなされると、ＳＭＦは、例えば、ＵＥに、ＰＤＵセッション修正コマンドメッセージを提供してよい。例示的な実施形態では、装置２００は、要求されたＰＤＵセッションを常時接続ＰＤＵセッションにすると判定すると、ＰＤＵセッション修正コマンドメッセージを受信するように構成されたプロセッサ２１０などの手段を備え、ＰＤＵセッション修正コマンドメッセージは、常時接続ＰＤＵセッション指示ＩＥを備え、常時接続ＰＤＵセッション指示ＩＥは、「常時接続ＰＤＵセッションが要求されている」を示す値に設定される。図８のブロック８１０を参照する。
【０１３４】
装置２００はまた、要求されたＰＤＵセッションを常時接続ＰＤＵセッションとしないと判定すると、ＰＤＵセッション修正コマンドメッセージを受信するように構成されたプロセッサ２１０などの手段を備えてよく、ＰＤＵセッション修正コマンドメッセージは、常時接続ＰＤＵセッション指示ＩＥを備え、ＵＥが常時接続ＰＤＵセッション要求されたＩＥをＰＤＵセッション修正要求メッセージに含めた場合、常時接続ＰＤＵセッション指示ＩＥは「常時接続ＰＤＵセッションは許可されない」を示す値に設定され、または、ＵＥが常時接続ＰＤＵセッション要求されたＩＥをＰＤＵセッション修正要求メッセージに含めなかった場合、常時接続ＰＤＵセッション指示ＩＥを備えない。図８のブロック８１５を参照する。
【０１３５】
その後、例示的な実施形態では、装置２００は、常時接続ＰＤＵセッション指示ＩＥがＰＤＵセッション修正コマンドメッセージに含まれ、且つ、常時接続ＰＤＵセッション指示ＩＥが「常時接続ＰＤＵセッションが要求されている」を示す値に設定されているインスタンスにおいて、ＰＤＵセッションを常時接続ＰＤＵセッションと見なすように構成されたプロセッサ２１０などの手段を備える。図８のブロック８２０を参照する。
【０１３６】
装置２００はまた、常時接続ＰＤＵセッション指示ＩＥがＰＤＵセッション修正コマンドメッセージに含まれ、且つ、常時接続ＰＤＵセッション指示ＩＥが「常時接続ＰＤＵセッションは許可されない」を示す値に設定されているインスタンスにおいて、ＰＤＵセッションを常時接続ＰＤＵセッションと見なさないように構成されたプロセッサ２１０などの手段を備えてよい。図８のブロック８２５を参照する。
【０１３７】
上記のように、図４、図５、図７及び図８は、本発明の例示的な実施形態による装置、方法、及びコンピュータプログラム製品のフローチャートである。フローチャートの各ブロック、及びフローチャート内のブロックの組み合わせは、ハードウェア、ファームウェア、プロセッサ、回路、及び／または１つまたは複数のコンピュータプログラム命令を含むソフトウェアの実行に関連する他のデバイスなどの様々な手段によって実施されてよいことは理解されよう。例えば、上記の手順のうちの１つまたは複数は、コンピュータプログラム命令によって具体化されてよい。これに関して、上記の手順を具体化するコンピュータプログラム命令は、本発明の実施形態を採用する装置のメモリデバイスによって記憶されてよく、装置のプロセッサによって実行されてよい。理解されるように、そのようなコンピュータプログラム命令はいずれも、コンピュータまたは他のプログラム可能な装置（例えば、ハードウェア）にロードされてマシンを生成してよく、結果として生じるコンピュータまたは他のプログラム可能な装置がフローチャートブロックで指定された機能を実施する。これらのコンピュータプログラム命令はまた、コンピュータ可読メモリに記憶されて、コンピュータまたは他のプログラム可能な装置に特定の方法で機能するように指示してよく、これによりコンピュータ可読メモリに記憶される命令は、製品を生産し、製品の実行により、フローチャートのブロックに指定される機能を実施する。コンピュータプログラム命令はまた、コンピュータまたは他のプログラム可能装置にロードされて、コンピュータまたは他のプログラム可能装置で一連の操作ステップを実行して、コンピュータ実装プロセスを生成してよく、その結果、コンピュータまたは他のプログラム可能装置で実行する命令が、フローチャートのブロックで指定される機能を実施する動作を提供する。
【０１３８】
したがって、コンピュータプログラム製品は、コンピュータ可読プログラムコード部分などのコンピュータプログラム命令が、少なくとも１つの非一時的コンピュータ可読記憶媒体によって記憶され、実行されると、図４、図５、図７、及び図８のフローチャート等と併せて前述した機能を実行するように構成される例として定義される。他の実施形態では、コンピュータ可読プログラムコード部分などのコンピュータプログラム命令は、非一時的コンピュータ可読記憶媒体によって記憶または他の方法で具体化される必要はないが、代わりに、一時的な媒体によって具体化されてよく、依然として、コンピュータ可読プログラムコード部分などのコンピュータプログラム命令は、実行されると、上記の機能を実行するように構成される。
【０１３９】
したがって、フローチャートのブロックは、指定された機能を実行するための手段の組み合わせ、及び指定された機能を実行するための動作の組み合わせをサポートする。フローチャートの１つまたは複数のブロック、及びフローチャートのブロックの組み合わせは、指定の機能、または専用ハードウェア及びコンピュータ命令の組み合わせを行う専用ハードウェアベースシステムによって実施されてよいことも理解されよう。
【０１４０】
いくつかの実施形態では、上記の動作のうちの特定の動作は、修正またはさらに増強されてよい。さらに、いくつかの実施形態では、追加のオプション動作が含まれてよい。上記の動作に対する修正、追加、または増強は、任意の順序及び任意の組み合わせで行われてよい。
【０１４１】
前述の説明及び関連する図面に提示された教示の恩恵を受ける本発明の分野の当業者には、本明細書に記載された本発明の多くの修正及び他の実施形態が思い浮かぶであろう。したがって、本発明は、開示された特定の実施形態に限定されるべきではなく、修正及び他の実施形態は、添付の特許請求の範囲内に含まれることが意図されていることを理解されたい。さらに、前述の説明及び関連する図面は、要素及び／または機能の特定の例示的な組み合わせの文脈で例示的な実施形態を説明するが、要素及び／または機能の異なる組み合わせは、添付の請求項の範囲を逸脱せずに、代替の実施形態によって提供されてよいことが理解されるべきである。これに関して、例えば、添付の特許請求の範囲のいくつかに記載されているように、上記で明示的に説明された組み合わせとは異なる要素及び／または機能の組み合わせも企図されてよい。本明細書では特定の用語が採用されているが、それらは一般的かつ説明的な意味でのみ使用されており、限定の目的では使用されていない。
【図１Ａ】
2021534621.tif 000003
【図１Ｂ】
2021534621.tif 000004
【図２】
2021534621.tif 000005
【図３】
2021534621.tif 000006
【図４】
2021534621.tif 000007
【図５】
2021534621.tif 000008
【図６】
2021534621.tif 000009
【図７】
2021534621.tif 000010
【図８】
2021534621.tif 000011
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
サービス要求手順を実行するための方法であって、前記方法は、
ユーザ機器（ＵＥ）から、プロトコルデータユニット（ＰＤＵ）セッション確立要求メッセージを受信することであって、前記ＰＤＵセッション確立要求メッセージは、ＰＤＵセッションを確立する要求を示すように構成され、前記ＰＤＵセッション確立要求メッセージは、常時接続ＰＤＵセッション要求された情報要素（ＩＥ）を備え、前記常時接続ＰＤＵセッション要求されたＩＥは、前記ＰＤＵセッションを常時接続ＰＤＵセッションとして確立する要求を示す値に設定されることと、
前記常時接続ＰＤＵセッション要求されたＩＥが、前記常時接続ＰＤＵセッションを確立する要求を示す前記値に設定されるインスタンスにおいて、ローカルポリシまたは構成に基づいて、前記要求されたＰＤＵセッションを常時接続ＰＤＵセッションとして確立するかどうかを判定することと、
を備える、方法。
【請求項２】
前記要求されたＰＤＵセッションを常時接続ＰＤＵセッションとして確立すると判定すると、前記ＵＥに向けてＰＤＵセッション確立承認メッセージの送信を引き起こすことであって、前記ＰＤＵセッション確立承認メッセージは、常時接続ＰＤＵセッション指示ＩＥを備え、前記常時接続ＰＤＵセッション指示ＩＥは、「常時接続ＰＤＵセッションが要求されている」を示す値に設定されること
をさらに備える、請求項１に記載の方法。
【請求項３】
前記要求されたＰＤＵセッションを常時接続ＰＤＵセッションとして確立しないと判定すると、前記ＵＥに向けてＰＤＵセッション確立承認メッセージの送信を引き起こすことであって、前記ＰＤＵセッション確立承認メッセージは、
前記ＵＥが前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される、常時接続ＰＤＵセッション指示ＩＥ
を備えること
をさらに備える、請求項１に記載の方法。
【請求項４】
Ｎ１モードからＳ１モードへのシステム間変更時に、前記常時接続ＰＤＵセッション指示を維持すること
をさらに備える、請求項１に記載の方法。
【請求項５】
Ｓ１モードからＮ１モードへのシステム間変更時に、前記常時接続ＰＤＵセッション指示に基づいて、進化型パケットシステム（ＥＰＳ）から転送されたＰＤＵセッションが常時接続ＰＤＵセッションであるかどうかを判定すること
をさらに備える、請求項４に記載の方法。
【請求項６】
サービス要求手順を実行するための装置であって、前記装置は、少なくとも１つのプロセッサと、コンピュータプログラムコードを含む少なくとも１つのメモリとを備え、前記少なくとも１つのメモリ及び前記コンピュータプログラムコードは、前記プロセッサと共に、前記装置に請求項１〜５のいずれか一項に記載の方法を行わせる、装置。
【請求項７】
サービス要求手順を実行するためのコンピュータプログラム製品であって、前記コンピュータプログラム製品は、コンピュータ実行可能プログラムコード命令が記憶された少なくとも１つの非一時的コンピュータ可読記憶媒体を備え、前記コンピュータ実行可能プログラムコード命令は、請求項１〜５のいずれか一項に記載の方法を行うためのプログラムコード命令を備える、コンピュータプログラム製品。
【請求項８】
方法であって、
常時接続プロトコルデータユニット（ＰＤＵ）セッション要求された情報要素（ＩＥ）を、ＰＤＵセッションを確立する要求を示すように構成されたＰＤＵセッション確立要求メッセージに含めることと、
前記ＰＤＵセッション確立要求メッセージ内の常時接続ＰＤＵセッション要求されたＩＥを、前記ＰＤＵセッションを常時接続ＰＤＵセッションとして確立する要求を示す値に設定することと、
前記ＰＤＵセッション確立要求メッセージの送信を引き起こすことと、
常時接続ＰＤＵセッション指示ＩＥを備えるＰＤＵセッション確立承認メッセージを受信することであって、前記常時接続ＰＤＵセッション指示ＩＥは、「常時接続ＰＤＵセッションが要求されている」を示す値、または、「常時接続ＰＤＵセッションは許可されない」を示す値に設定されることと、
を備える、方法。
【請求項９】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションが要求されている」を示す値に設定されるインスタンスにおいて、前記確立されたＰＤＵセッションを常時接続ＰＤＵセッションと見なすこと
をさらに備える、請求項８に記載の方法。
【請求項１０】
前記常時接続ＰＤＵセッション指示ＩＥが前記ＰＤＵセッション確立承認メッセージに含まれ、且つ、前記常時接続ＰＤＵセッション指示ＩＥが「常時接続ＰＤＵセッションは許可されない」を示す値に設定されるインスタンスにおいて、前記確立されたＰＤＵセッションを常時接続ＰＤＵセッションと見なさないこと
をさらに備える、請求項８に記載の方法。
【請求項１１】
少なくとも１つのプロセッサと、コンピュータプログラムコードを含む少なくとも１つのメモリとを備える装置であって、前記少なくとも１つのメモリ及び前記コンピュータプログラムコードは、前記プロセッサと共に、前記装置に請求項８〜１０のいずれか一項に記載の方法を行わせるように構成される、装置。
【請求項１２】
コンピュータ実行可能プログラムコード命令が記憶された少なくとも１つの非一時的コンピュータ可読記憶媒体を備えるコンピュータプログラム製品であって、前記コンピュータ実行可能プログラムコード命令は、請求項８〜１０のいずれか一項に記載の方法を行うためのプログラムコード命令を備える、コンピュータプログラム製品。
【請求項１３】
方法であって、
ユーザ機器（ＵＥ）から、プロトコルデータユニット（ＰＤＵ）セッション修正要求メッセージを受信することであって、前記ＰＤＵセッション修正要求メッセージは、Ｓ１モード時に確立されたＰＤＮ接続に対応するＰＤＵセッションを、Ｓ１モードからＮ１モードへの最初のシステム間変更後に修正する要求を示すように構成され、前記ＰＤＵセッション修正要求メッセージは、前記ＰＤＵセッションを常時接続プロトコルデータユニット（ＰＤＵ）セッションにする要求を示す値に設定された情報要素（ＩＥ）を備えることと、
セッション管理機能（ＳＭＦ）におけるローカルポリシまたは構成と、前記常時接続ＰＤＵセッション要求されたＩＥが利用可能なインスタンスにおいて、前記常時接続ＰＤＵセッション要求されたＩＥとに基づいて、前記要求されたＰＤＵセッションを常時接続ＰＤＵセッションにするように修正するかどうかを判定することと、
を備える、方法。
【請求項１４】
前記判定することの結果が、前記要求されたＰＤＵセッションを常時接続ＰＤＵセッションにするように修正すると判定することであるインスタンスにおいて、前記方法は、
ＰＤＵセッション修正コマンドメッセージの送信を引き起こすことであって、前記ＰＤＵセッション修正コマンドメッセージは、常時接続ＰＤＵセッション指示ＩＥを備え、前記常時接続ＰＤＵセッション指示ＩＥは、「常時接続ＰＤＵセッションが要求されている」を示す値に設定されること
をさらに備える、請求項１３に記載の方法。
【請求項１５】
前記判定することの結果が、前記要求されたＰＤＵセッションを常時接続ＰＤＵセッションにするように修正しないと判定することであるインスタンスにおいて、前記方法は、
ＰＤＵセッション修正コマンドメッセージの送信を引き起こすことであって、前記ＰＤＵセッション修正コマンドメッセージは、
前記ＵＥが、前記常時接続ＰＤＵセッション要求されたＩＥを前記ＰＤＵセッション確立要求メッセージに含めた場合、常時接続ＰＤＵセッション指示ＩＥであって、「常時接続ＰＤＵセッションは許可されない」を示す値に設定される常時接続ＰＤＵセッション指示ＩＥを備えるか、または
前記ＵＥが、前記常時接続ＰＤＵセッション要求されたＩＥを前記ＰＤＵセッション確立要求メッセージに含めなかった場合、常時接続ＰＤＵセッション指示ＩＥを備えない、
こと
をさらに備える、請求項１３に記載の方法。
【請求項１６】
Ｓ１モードからＮ１モードへのシステム間変更時に、前記ＳＭＦのローカルポリシまたは構成に基づいて、前記要求されたＰＤＵセッションが常時接続ＰＤＵセッションである必要があるかどうかを判定することと、
前記要求されたＰＤＵセッションが常時接続ＰＤＵセッションである必要があると判定すると、前記ＰＤＵセッション修正コマンドメッセージに含まれる常時接続ＰＤＵセッション指示ＩＥを、「常時接続ＰＤＵセッションが要求されている」を示す値に設定することと、
をさらに備える、請求項１３に記載の方法。
【請求項１７】
Ｓ１モードからＮ１モードへのシステム間変更時に、前記ＳＭＦのローカルポリシまたは構成に基づいて、前記要求されたＰＤＵセッションが常時接続ＰＤＵセッションである必要があるかどうかを判定することと、
前記要求されたＰＤＵセッションが常時接続ＰＤＵセッションである必要がないとの判定時に、前記ＰＤＵセッション修正コマンドメッセージに含まれる常時接続ＰＤＵセッション指示ＩＥを、「常時接続ＰＤＵセッションは許可されない」を示す値に設定することと、
をさらに備える、請求項１３に記載の方法。
【請求項１８】
少なくとも１つのプロセッサと、コンピュータプログラムコードを含む少なくとも１つのメモリとを備える装置であって、前記少なくとも１つのメモリ及び前記コンピュータプログラムコードは、前記プロセッサと共に、前記装置に請求項１３〜１７のいずれか一項に記載の方法を行わせるように構成される、装置。
【請求項１９】
コンピュータ実行可能プログラムコード命令が記憶された少なくとも１つの非一時的コンピュータ可読記憶媒体を備えるコンピュータプログラム製品であって、前記コンピュータ実行可能プログラムコード命令は、請求項１３〜１７のいずれか一項に記載の方法を行うためのプログラムコード命令を備える、コンピュータプログラム製品。
【請求項２０】
方法であって、
プロトコルデータユニット（ＰＤＵ）セッション修正要求メッセージ内に、常時接続ＰＤＵセッションであるように修正される要求を示すように構成される情報要素（ＩＥ）を含めることであって、前記ＰＤＵセッションは、Ｓ１モード時に確立されたパケットデータネットワーク（ＰＤＮ）接続に対応することと、
前記ＰＤＵセッション修正要求メッセージ内のＩＥを、前記ＰＤＵセッションが常時接続ＰＤＵセッションとなるように修正される要求を示す値に設定することと、
前記ＰＤＵセッション修正要求メッセージの送信を引き起こすことと、
常時接続ＰＤＵセッション指示ＩＥを備えるＰＤＵセッション修正コマンドメッセージを受信することであって、前記常時接続ＰＤＵセッション指示ＩＥは、「常時接続ＰＤＵセッションが要求されている」を示す値、または、「常時接続ＰＤＵセッションは許可されない」を示す値に設定されることと、
を備える、方法。
【請求項２１】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションが要求されている」を示す値に設定されるインスタンスにおいて、前記ＰＤＵセッションを常時接続ＰＤＵセッションと見なすこと
をさらに備える、請求項２０に記載の方法。
【請求項２２】
前記常時接続ＰＤＵセッション指示ＩＥが前記ＰＤＵセッション修正コマンドメッセージに含まれ、且つ、前記常時接続ＰＤＵセッション指示ＩＥが「常時接続ＰＤＵセッションは許可されない」を示す値に設定されるインスタンスにおいて、前記ＰＤＵセッションを常時接続ＰＤＵセッションと見なさないこと
をさらに備える、請求項２０に記載の方法。
【請求項２３】
少なくとも１つのプロセッサと、コンピュータプログラムコードを含む少なくとも１つのメモリとを備える装置であって、前記少なくとも１つのメモリ及び前記コンピュータプログラムコードは、前記プロセッサと共に、前記装置に請求項２０〜２２のいずれか一項に記載の方法を行わせるように構成される、装置。
【請求項２４】
コンピュータ実行可能プログラムコード命令が記憶された少なくとも１つの非一時的コンピュータ可読記憶媒体を備えるコンピュータプログラム製品であって、前記コンピュータ実行可能プログラムコード命令は、請求項２０〜２２のいずれか一項に記載の方法を行うためのプログラムコード命令を備える、コンピュータプログラム製品。
【国際調査報告】
2021534621.tif 000012
2021534621.tif 000013
2021534621.tif 000014
2021534621.tif 000015
2021534621.tif 000016
2021534621.tif 000017